(57)【特許請求の範囲】
【請求項１】
振動変換器２５０であって：
コイル２１０５、
前記コイル２１０５の軸の周囲に配置され、前記コイル２１０５から離して置かれた磁石のアレイ２１１１、及び
平坦な帯状金属片が丸いコーナを有する閉じた対称形の台形状に形成されたフレーム２１１５、を備え、
前記コイル２１０５は、前記フレーム２１１５の第１の平行な辺の中心内側に垂直に固定され、
前記磁石のアレイ２１１１は、前記フレーム２１１５の前記第１の平行な辺に対向する第２の平行な辺の中心内側に垂直に結合され、
前記コイル２１０５内の交流が、前記磁石のアレイ２１１１を前記コイル２１０５の軸に垂直な面内で小刻みに揺れ動かすことにより、前記フレーム２１１５を前記フレーム２１１５の面内で振動させることにより特徴付けられる振動変換器２５０。
【請求項２】
前記磁石のアレイ２１１１は、ゼロ交差構成の複数の磁石を備える、請求項１に記載の振動変換器２５０。
【請求項３】
前記コイル２１０５および前記磁石のアレイ２１１１はハウジング内に収容される、請求項１または２のうちいずれか一項に記載の振動変換器２５０。
【請求項４】
コイル１３１２および磁石のアレイ１３１４はフレーム１３１３の対辺に装着され、前記フレーム１３１３の一部は、少なくとも１つのばね部分１３１１を備える、請求項１〜３のうちいずれか一項に記載の振動変換器１３１０。
【請求項５】
前記フレーム２１１５は、ゴム、シリコーンおよび金属を含む群から選択される少なくとも１つの材料を含む、請求項１〜４のうちいずれか一項に記載の振動変換器。
【請求項６】
０Ｈｚ〜２５０Ｈｚの範囲の周波数で、および０Ｈｚ〜２０Ｈｚの範囲の超低周波で振動するように構成された、請求項１〜５のうちいずれか一項に記載の振動変換器。
【請求項７】
前記振動変換器２５０に信号を生成する発生器２２０のために、前記発生器２２０に結合された信号を受信するための無線信号受信機２１０をさらに備える、請求項１〜６のうちいずれか一項に記載の振動変換器。
【請求項８】
外部電源６８１に結合するためのワイヤおよび外部信号発生器２２０に結合するためのワイヤのうち少なくとも１つを備える、請求項１〜７のうちいずれか一項に記載の振動変換器。
【請求項９】
衣服に取り付けるためのクリップおよび人体構造の一部に取り付けるためのストラップのうち少なくとも１つをさらに備える、請求項１〜８のいずれか一項に記載の振動変換器。
【請求項１０】
信号発生器１２０から信号を受信するために、および前記人間にベース音の出現体験を提供するために、人３００の身体に取り付けるための、請求項１に記載の少なくとも第１のおよび第２の振動変換器１５０を備えるシステム１０００。
【請求項１１】
前記第１の振動変換器２５０が、脊椎近傍で及び腰背部４４８で、人３００の身体に取り付けられる、請求項１０に記載のシステム。
【請求項１２】
前記第１の振動変換器２５０は、前記身体の周囲のストラップをさらに備える、請求項１０または１１のうちいずれか一項に記載のシステム。
【請求項１３】
前記第１の振動変換器２５０は、衣服のウエストバンド、前記身体に巻きつくベルトおよび専用ストラップのうち少なくとも１つに取り付けられる、請求項１０または１１のうちいずれか一項に記載のシステム。
【請求項１４】
前記第２の振動変換器２５０が、胸骨４４２近傍に配置するための胸の振動デバイス３２５であり、肌着、ブラジャー、ワイシャツ、ブラウス、セータ−、Ｔシャツおよび上着を含む群から選択される衣服の上にクリップで留めるためのクリップ、ならびに首の周りに配置するためのストラップのうち少なくとも１つをさらに備える、請求項１０〜１３のうちいずれか一項に記載のシステム。
【請求項１５】
少なくとも１つの振動変換器２５０が、大腿骨の最上部３３６、骨盤４４４、橈骨４５０、尺骨４５１、手、頸骨４５２および足首４５４近傍の身体３００に取り付けられる、請求項１０〜１４のうちいずれか一項に記載のシステム。
【発明の詳細な説明】
【技術分野】
【０００１】
本発明はメディアシステムに関し、より詳細には、限定的ではなくパーソナルメディア再生システムに関する。
【背景技術】
【０００２】
今日、さまざまなパーソナルメディア再生システムが、メディアの消費者に利用可能である。
【０００３】
広く使用されているパーソナルメディア再生システムの中には、ＭＰ３プレーヤ、ポータブルＤＶＤプレーヤはもとより、音楽または映画を格納し、かつ記録された音楽または映画を再生することができるスマート携帯電話（たとえばＡｐｐｌｅ（商標）のｉＰｈｏｎｅまたはＳａｍｓｕｎｇ（商標）のＧａｌａｘｙ  Ｓ）がある。
【０００４】
現在のパーソナルメディア再生システムは、従来型のイヤホンおよび／または小型スピーカを介して利用者にステレオサウンドを提供する。
【０００５】
イヤホンおよびスピーカは適切な音を提供することができるが、大編成のオーケストラまたはロックバンドによる生演奏中にナイトクラブまたは劇場で感じられるような臨場感のある感覚体験を提供することはない。
【発明の概要】
【発明が解決しようとする課題】
【０００６】
イヤホンおよびスピーカは、ただ１つの感覚チャネル、すなわち耳により感じられる音響に制限されるので、イヤホンおよびスピーカは臨場感のある感覚体験を十分に提供できない。
【課題を解決するための手段】
【０００７】
本発明の一様態によれば：メディア信号を受信するように構成された信号受信機、受信されたメディア信号から複数の信号を得て、かつ得られた信号の各々を利用者の複数の身体部分の個々の１カ所に対して適合させるように構成された、信号受信機と通信状態にある信号発生器、および信号発生器と通信状態にある複数の振動デバイスを備え、各振動デバイスは、利用者の身体部分の個々の１カ所の上に配置可能であり、身体部分に対して適合された信号に従って身体部分上で振動するように構成されたパーソナルメディア再生装置が提供される。
【０００８】
本発明の第２の様態によれば：メディア信号を受信するように構成された信号受信機、受信されたメディア信号から信号を得るように構成された、信号受信機と通信状態にある信号発生器、および信号取得器（ｄｅｒｉｖｅｒ）と通信状態にある複数の振動デバイスを備え、各振動デバイスは、利用者の複数の身体部分の個々の１カ所の上に配置可能であり、身体部分に最適な方法で、得られた信号に従って身体部分上で振動するように構成されたパーソナルメディア再生装置が提供される。
【０００９】
本発明の第３の様態によれば：メディア信号を受信するステップ、受信されたメディア信号から複数の信号を得るステップ、および得られた信号の各々を利用者の複数の身体部分の個々の１カ所に対して適合させ、身体部分に対して適合させられた信号に従って身体部分の各々の上に振動を加えるステップを含むパーソナルメディア再生方法が提供される。
【００１０】
本発明の第４の様態によれば：メディア信号を受信するステップ、受信されたメディア信号から信号を得るステップ、および身体部分に最適な方法で、得られた信号に従って利用者の複数の身体部分の各１カ所の上に振動を加えるステップを含むパーソナルメディア再生方法が提供される。
【００１１】
特に規定されない限り、本明細書で使用されるすべての専門用語および科学用語は、本発明が属する当業者により一般に理解されるものと同じ意味を有する。本明細書で提供される材料、方法および例は、単に例示であって、限定することを意図するものではない。
【００１２】
本発明の方法およびシステムの実装には、特定の選択されたタスクまたはステップを手動で、自動的にまたはこれらの組合せで実行することまたは完了することを伴う。さらに、本発明の方法およびシステムの好ましい実施形態の実際の器具類および機器によれば、いくつかの選択されたステップが、ハードウェアにより、または任意のファームウェアの任意のオペレーティングシステム上のソフトウェアにより、またはこれらの組合せにより実装することができる。
【００１３】
たとえば、ハードウェアのとき、本発明の選択されたステップは、チップまたは回路として実装することができる。ソフトウェアのとき、本発明の選択されたステップは、任意の適切なオペレーティングシステムを使用してコンピュータにより実行される複数のソフトウェア命令として実装することができる。いずれの場合も、本発明の方法およびシステムの選択されたステップは、データプロセッサにより、たとえば複数の命令を実行するコンピューティングプラットフォームにより実行されると説明することができる。
【００１４】
本発明は、本明細書では添付図面を参照して例だけによって説明される。このとき、図面を詳細に具体的に参照すると、示される詳細は単に例示としておよび本発明の好ましい実施形態を例示により説明する目的のためだけでしかなく、本発明の原理および概念的な様態の最も有用でかつ容易に理解される説明であると考えられるものを提供するために提示されていることが強調される。図面を使って行われる説明により、本発明のいくつかの形態が実際にどのようにして具体化することができるかが当業者に明らかになる。
【図面の簡単な説明】
【００１５】
【図１】本発明の例示的一実施形態による第１のパーソナルメディア再生装置を概略的に示す簡易構造図である。
【図２】本発明の例示的一実施形態による第２のパーソナルメディア再生装置を概略的に示す簡易構造図である。
【図３】本発明の例示的一実施形態による第３のパーソナルメディア再生装置を概略的に示す簡易構造図である。
【図４】本発明の例示的一実施形態による振動デバイスを配置するための可能な身体部分を概略的に示す簡易図である。
【図５】本発明の例示的一実施形態による第４のパーソナルメディア再生装置を概略的に示す簡易構造図である。
【図６】本発明の例示的一実施形態によるコントロールパネルを概略的に示す簡易構造図である。
【図７】本発明の例示的一実施形態による第１のパーソナルメディア再生方法を示す簡易流れ図である。
【図８】本発明の例示的一実施形態による第２のパーソナルメディア再生方法を示す簡易流れ図である。
【図９】本発明の例示的一実施形態による第３のパーソナルメディア再生方法を概略的に示す流れ図である。
【図１０】本発明の例示的一実施形態による第４のパーソナルメディア再生方法を概略的に示す流れ図である。
【図１１Ａ】本発明の例示的一実施形態による振動変換器を備える靴底を概略的に示す簡易構造図である。
【図１１Ｂ】本発明の例示的一実施形態による第１の振動変換器の上面図を概略的に示す簡易構造図である。
【図１１Ｃ】本発明の例示的一実施形態による第１の振動変換器の側面図を概略的に示す簡易構造図である。
【図１２Ａ】本発明の例示的一実施形態による第２の振動変換器を概略的に示す簡易構造図である。
【図１２Ｂ】本発明の例示的一実施形態による第３の振動変換器を概略的に示す簡易構造図である。
【図１２Ｃ】本発明の例示的一実施形態による第４の振動変換器を概略的に示す簡易構造図である。
【図１３】本発明の例示的一実施形態による第５の振動変換器を概略的に示す簡易構造図である。
【図１４】本発明の例示的一実施形態による第６の振動変換器を概略的に示す簡易構造図である。
【図１５】本発明の例示的一実施形態による第７の振動変換器を概略的に示す簡易構造図である。
【図１６】本発明の例示的一実施形態による第８の振動変換器を概略的に示す簡易構造図である。
【図１７】本発明の例示的一実施形態による第９の振動変換器を概略的に示す簡易構造図である。
【図１８】本発明の例示的一実施形態による第１０の振動変換器を概略的に示す簡易構造図である。
【図１９】本発明の例示的一実施形態による第１１の振動変換器を概略的に示す簡易構造図である。
【図２０】本発明の例示的一実施形態による第１２の振動変換器を概略的に示す簡易構造図である。
【図２１】本発明の例示的一実施形態による第１３の振動変換器を概略的に示す簡易構造図である。
【図２２】本発明の例示的一実施形態による第１４の振動変換器を概略的に示す簡易構造図である。
【図２３】本発明の例示的一実施形態による第１５の振動変換器を概略的に示す簡易構造図である。
【図２４】本発明の例示的一実施形態による第１の多方向振動変換器を概略的に示す簡易構造図である。
【図２５】本発明の例示的一実施形態による第２の多方向振動変換器を概略的に示す簡易構造図である。
【発明を実施するための形態】
【００１６】
本実施形態は、パーソナルメディア再生のための装置および方法を備える。
【００１７】
本発明の例示的一実施形態によれば、メディア信号、たとえば１曲の音楽または映画のサウンドトラックのオーディオ信号、ＭＰ４フォーマットで符号化されたビデオクリップの信号、ビデオストリームなどが受信される。
【００１８】
次いで、メディア信号から２つ以上の信号、たとえば低周波信号が得られる。得られた信号は類似していても、互いに異なっていてもよい。以下にさらに詳細に説明されるように、得られた信号の各々は、利用者の特定の身体部分に向けられる。
【００１９】
本発明の一実施形態では、以下にさらに詳細に説明されるように、得られた信号の各々は、たとえば専用プロセッサチップを使用して、得られた信号が向けられるユーザの特定の身体部分に対して適合させられる。
【００２０】
たとえば、以下にさらに詳細に説明されるように、メディア信号から得られた信号の１つが、骨が皮膚に近接している特定の身体部分、たとえば片方の脚に対して適合させられてもよく、一方では、得られた信号の別の１つが、より肉質の身体部分、たとえば腰に対して適合させられてもよい。
【００２１】
以下にさらに詳細に説明されるように、適合させることは、メディア信号から得られた信号の中に、ある種の信号シーケンスを挿入すること、得られた信号波形を改変すること、得られた信号の一定の部分を圧縮することなどを含んでもよい。
【００２２】
以下にさらに詳細に説明されるように、適合させられた信号の各々は、１つまたは複数の振動デバイス（以下、「振動変換器」とも呼ばれる）に送信され、信号が適合させられた特定の身体部分上に導入される。
【００２３】
したがって、振動デバイスの各々は、特定の身体部分に対して適合させられた信号に従って特定の身体部分上で振動する。
【００２４】
他の実施形態では、メディア信号から得られた信号の各々は、特定の身体部分に向けられる。しかしながら、得られた信号は、利用者の特定の身体部分上に配置された１つまたは複数の振動デバイスに、改変されずに送信される。送信された低周波信号を受信すると、振動デバイスは、身体部分に最適な方法で、身体部分上で振動する。以下にさらに詳細に説明されるように、振動デバイスは、たとえば、特定の身体部分に最適な振動デバイス設計によって、または振動デバイス自体の中に埋め込まれた信号適合機能（たとえば信号処理用の専用電気回路を使用する）により、身体部分に最適な方法で振動する。
【００２５】
さらに他の実施形態では、得られた信号の各々が、特定の身体部分に対して特別に適合させられ、特定の身体部分上に配置された振動デバイスに送信される。
【００２６】
振動デバイスは、特別に適合させることによって身体部分上に部分特有の振動を加える、振動デバイス設計が特定の身体部分に最適化される、または両方である。
【００２７】
すなわち、以下にさらに詳細に説明されるように、得られた信号の適合および振動デバイスの設計は一緒になって、特定の身体部分上に加えられる振動を最適化するのに役立つことがある。
【００２８】
本発明の例示的一実施形態による方法が、その方法のために特にミキシングされたメディア項目と共に使用されてもよい。しかしながら、信号を適合させることにより、最初に記録されたメディアを使用して、何百万もの現在利用可能なメディア項目、たとえばビデオクリップまたは映画のサウンドトラックに、利用者の新しい体験を加えてもよい。
【００２９】
すなわち、従来のプラットフォーム用に、たとえば標準的ステレオシステムまたは通常のＭＰ３ドライバ用に最初にミキシングされたレガシーメディア項目は、本実施形態の少なくとも一部が動作するように、メディアの製作者により修正されるまたは再度ミキシングされる（追加チャネルを伴う、または記録チャネルが修正されて配布されることを伴う）必要がない。
【００３０】
本発明のいくつかの実施形態に従って得られたまたは適合させられた低周波信号は、典型的には、人間の耳には感受性が非常に低いが、人体の他の部分には感受性が非常に高い周波数の信号である。
【００３１】
たとえば、人間の耳は、周波数範囲２２０Ｈｚ〜２５０Ｈｚ以下では、聴力が徐々に低下するのを体験する。したがって、２２０Ｈｚ〜２５０Ｈｚの範囲以下の低周波信号は、本発明の一部の実施形態に従って、特定の身体部分用に適合させられてもよい。特に関心があるのが、通常、人間の聴覚の限界以下である２０Ｈｚ未満の周波数により特徴付けられる超低周波信号などの低周波信号である。
【００３２】
以下にさらに詳細に説明されるように、適合させられた低周波信号に基づき、利用者の身体に加えられる低周波（またはさらには超低周波）振動は、低周波感覚、たとえば振動、打撃音、身震い、地震に似た感覚、移動感覚、音響および振動に関連する複合感覚などを生成することができる。
【００３３】
本発明による装置および方法の原理および動作は、図面および付随する説明を参照してよりよく理解することができる。
【００３４】
本発明の少なくとも一実施形態を詳細に説明する前に、本発明は、本発明を適用する際に、以下の説明で示されるまたは図面で示される構造、および構成要素の配置の詳細に限定されないことを理解されたい。本発明は、他の実施形態が可能である、またはさまざまな方法で実施もしくは実行可能である。また、本明細書で使用される表現および専門用語は説明の目的のためのものであり、限定しているとみなされるべきではないことを理解されたい。
【００３５】
次に、図１を参照すると、図１は、本発明の例示的一実施形態による第１のパーソナルメディア再生装置を概略的に示す簡易構造図である。
【００３６】
本発明の例示的一実施形態による例示的なパーソナルメディア再生装置１０００は、ハードウェアとして、またはハードウェアおよびソフトウェアの組合せとして実装されてもよい。
【００３７】
以下にさらに詳細に説明されるように、装置１０００（または装置の少なくともいくつかの部分）は、装置１０００の利用者により装着されてもよい。
【００３８】
装置１０００は信号受信機１１０を含む。
【００３９】
信号受信機１１０は、たとえば映画のサウンドトラック、ＭＰ３プレーヤで再生されるビデオクリップ、ビデオストリームなどのメディア信号を受信する。
【００４０】
従来技術で公知のように、信号受信機１１０は、音源から、たとえばＭＰ３プレーヤ（たとえばプレーヤのヘッドホンソケットを介して）、コンピュータ、ゲーム機、ＣＤ−ＲＯＭドライブまたはＤＶＤ（Ｄｉｇｉｔａｌ  Ｖｉｄｅｏ  Ｄｉｓｋ）ドライブなどのメディアリーダ、スマートホン（たとえばＡｐｐｌｅ（商標）のｉ−Ｐｈｏｎｅ）などからメディア信号を受信する。
【００４１】
以下にさらに詳細に説明されるように、信号受信機１１０は、音源への無線接続を介して、音源への有線接続を介して、音源のＵＳＢソケットなどのソケットを介して、またはこれらの任意の組合せを介して、メディア信号を受信してもよい。
【００４２】
装置１０００は、信号受信機１１０と通信状態にある信号発生器１２０をさらに含む。
【００４３】
従来技術で公知のように、任意選択で、信号発生器１２０は、専用デジタル信号処理（ＤＳＰ）チップ上に、デスクトップコンピュータ上に、ラップトップコンピュータ上に、携帯型スマートホン上などに実装される。
【００４４】
信号発生器１２０は、信号受信機１１０から受信されたメディア信号から２つ以上の信号を得る。得られた信号は類似していても、互いに異なっていてもよい。
【００４５】
任意選択で、得られた信号は低周波信号である。低周波信号は、人間の耳には感受性が非常に低いが、人体の他の部分には感受性が非常に高い（たとえば触覚による）周波数の信号である。
【００４６】
以下にさらに詳細に説明されるように、信号発生器１２０は、得られた信号の各々を装置１０００の利用者の複数の身体部分の個々の１カ所に対して適合させる。
【００４７】
任意選択で、信号発生器１２０は、事前設定された数の、たとえば装置１０００の利用者または製造業者により事前設定された数の身体部分に対して信号を得るが、メディア信号の記録は、異なった数のチャネルに基づいてもよい。
【００４８】
一例では、メディア信号は、２チャネルを有する携帯型ステレオ・メディア・プレーヤから発生し、信号発生器１２０は、利用者の８カ所の身体部分に対してメディア信号から８つのチャネルを得る。
【００４９】
以下にさらに詳細に説明されるように、本例では、信号発生器１２０は、得られた信号一方を骨が皮膚に近接している特定の身体部分（たとえば片方の脚）に対して適合させてもよいが、得られた信号の他方を腰などのより肉質の身体部分に対して適合させる。
【００５０】
装置１０００は、有線接続または無線接続を介して信号発生器１２０と通信状態にあり、装置１０００の利用者により装着される２つ以上の振動デバイス１５０をさらに含む。
【００５１】
任意選択で、振動デバイス１５０の少なくとも１つは無線であり、信号発生器１２０は、１つの無線通信周波数を使用して、無線接続を介して振動デバイス１５０と通信する。あるいは、たとえば多くの利用者が互いに近接して類似の装置１０００を使用するとき、信号発生器１２０は、２つ以上の無線通信周波数を使用して振動デバイス１５０と通信する。
【００５２】
いくつかの実施形態では、無線接続は限られた範囲の通信であり、有効範囲が５ｍ〜６ｍ、または２ｍ〜３ｍでさえある。いくつかの他の実施形態では、無線接続は限られた範囲の通信であり、有効範囲が１０ｍ〜２０ｍ、または３０ｍである。
【００５３】
振動デバイス１５０の各々の１つ（または振動デバイス１５０のサブグループ）は、利用者の身体部分の個々の１カ所の上に配置され、個々の身体部分に対して適合された信号に従って、身体部分上で振動してもよい。
【００５４】
得られた信号の適合は、さまざまな信号操作のうち１つまたは複数を含んでもよい。
【００５５】
以下にさらに詳細に説明されるように、信号操作は：得られた信号の中にある種の信号シーケンスを挿入すること、得られた信号の波形を改変すること、得られた信号の一定部分を圧縮すること、特定の周波数範囲のフィルタリングおよび等化を行うこと、異なる身体部分に対して、メディア信号から得られた信号間に遅延を導入することなどを含んでもよいが、これらに限定されない。
【００５６】
すなわち、以下にさらに詳細に説明されるように、信号発生器１２０は、特定の身体部分に対して適合された信号の各々を最適化してもよい。
【００５７】
任意選択で、信号発生器１２０は、身体部分に最適な波形を用いて、メディア信号から得られた信号を適合させてもよい。
【００５８】
たとえば、信号発生器１２０は、比較的急激な振幅上昇（アタックとも呼ばれる）および比較的緩慢な振幅減衰、またはこの逆により特徴付けられる非対称波形を用いて、利用者の一方の手に向けられた、得られた信号を適合させてもよい。
【００５９】
したがって、以下にさらに詳細に説明されるように、非対称波形を用いて適合させられた信号に基づき利用者の手の上に振動を加えると、動きに似た感覚が利用者の手の上に生成される。さらに、動きに似た感覚は、動きに似た感覚と反対の方向に（押す感覚に対する）または感覚の方向に（引く感覚に対する）現実のフィードバックの動きで利用者に応答させる可能性が高い。
【００６０】
以下にさらに詳細に説明されるように、任意選択で、信号発生器１２０は、メディア信号から得られた信号を、その信号が向けられる身体部分に最適な周波数または周波数範囲を用いて適合させる。
【００６１】
任意選択で、信号発生器１２０は、得られた信号にあらかじめ定義されたシーケンスを挿入することにより、メディア信号から得られた信号を適合させる。
【００６２】
たとえば、信号発生器１２０が、メディア信号の中にあらかじめ定義されたシーケンス（たとえば爆発に特有な音響）を識別したときはいつでも、信号発生器１２０は、振動効果の専用データベースに格納された特定の信号シーケンス（たとえばブーム（ｂｏｏｍ）効果に特有なシーケンス）を、得られた信号に挿入してもよい。
【００６３】
任意選択で、信号発生器１２０は、特定の環境、たとえば野外環境、閉ざされたホールの環境、大音量の低周波スピーカを備える車、木製の床を備える環境、コンクリートの床を備える環境などをシミュレートするために、得られた信号を適合させる。
【００６４】
たとえば、信号発生器１２０は、得られた信号に床の振動のシーケンスを挿入してもよい。
【００６５】
任意選択で、信号発生器１２０は、特定の環境の中でライブサウンド体験中に利用者の身体の位置で行われた測定に基づき、特定の振幅、遅延または位相差を用いてあらかじめ構成される。信号発生器１２０は、特定の環境で測定された特定の振幅、遅延または位相差を使用して、得られた信号を特定の環境に対して適合させてもよい。
【００６６】
以下にさらに詳細に説明されるように、任意選択で、装置１０００の利用者は、得られた信号を信号発生器１２０が適合させるために、たとえばコントロールパネルを使用して、環境の１つを選択することができるようになる。
【００６７】
メディア信号は、標準の再生時に、すなわち音楽クリップ、ビデオクリップ、または映画のサウンドトラックなどの現在利用可能な何百万ものメディア項目の１つの再生時に生成される信号でもよい。
【００６８】
すなわち、信号発生器１２０は、最初に記録されたメディア項目を使用して、得られた信号を適合させてもよい。
【００６９】
本装置１０００が動作するために、メディア項目の製作者が、特別な振動チャネルを用いてもしくは記録チャネル間で新たに配分を行って、メディアをリミックスする、または振動チャネルの補充ミキシングを提供する必要はない。
【００７０】
すなわち、従来のプラットフォーム、たとえば標準的なステレオシステムまたは通常のＭＰ３ドライバ用に最初にミキシングされたメディア項目は、例示の装置１０００が動作するために、修正されるまたはリミックスされる必要がない。
【００７１】
任意選択で、振動デバイス１５０は、身体部分に最適な方法で、身体部分上で振動する。
【００７２】
たとえば、振動デバイス１５０は、身体部分に最適な方向で振動してもよい。
【００７３】
以下にさらに詳細に説明されるように、本例では、振動デバイス１５０は、振動デバイス１５０が配置された特定の身体部分に最もよく適合する方向に、たとえば、装置１０００の携帯者の肉質の身体部分に対して垂直方向に、または携帯者の骨質の身体部分に対して横方向に振動してもよい。
【００７４】
以下にさらに詳細に説明されるように、任意選択で、振動デバイス１５０自体は、信号適合機能（たとえば信号処理用の専用電気回路または周波数選択性増幅器）をさらに含む。
【００７５】
以下にさらに詳細に説明されるように、信号適合機能を使用して、振動デバイス１５０は、たとえば、受信された信号の波形をさらに改変することにより、または低周波数範囲の信号の一部だけを増幅することにより、振動デバイス１５０により受信された、特定の部分に対して適合させられた信号を、さらに適合させてもよい。
【００７６】
任意選択で、信号発生器１２０は、たとえば、下半身部分から上半身部分へ上昇するまたはその逆の感覚を生成するために、利用者の異なる身体部分に対して得られ、適合させられた少なくとも２つの信号間に位相差をさらに導入する。
【００７７】
任意選択で、信号発生器１２０は、得られた信号を適合させるために、あらかじめ定義されたプロトコルに従って、受信されたメディア信号の中に埋め込まれた制御データをさらに使用する。たとえば、以下にさらに詳細に説明されるように、信号発生器は、信号受信機１１０により受信されたメディア信号の中にある種のトーンを識別したとき、メディア信号から得られた信号にある種の信号シーケンスを導入してもよい。
【００７８】
任意選択で、装置１０００は、信号発生器１２０と通信状態にあるコントロールパネル、たとえば設定スイッチまたはタッチスクリーンをさらに含む。
【００７９】
コントロールパネルは、信号発生器１２０を制御するための、装置１０００の利用者が操作してもよいユーザインタフェースを提供する。
【００８０】
以下にさらに詳細に説明されるように、利用者は、特定の身体部分（たとえば利用者の胸）に対して適合させられた信号の振幅を調節し、それにより、利用者の胸の上で感じられる振動を加減するためにコントロールパネルを使用し、一般に適合させられた信号の振幅を全体として調節するなどしてもよい。
【００８１】
任意選択で、装置１０００は、信号受信機１１０と通信状態にあるオーディオ信号発生器（図示せず）をさらに含む。
【００８２】
オーディオ信号発生器は、受信されたメディア信号からオーディオ信号を得て、それにより、利用者が聞くために、メディア信号の少なくとも一部を再生する。
【００８３】
任意選択で、オーディオ信号発生器は、メディア信号から得られたオーディオ信号を、装置１０００を装着する利用者が使用するスピーカまたはヘッドホンに転送する。
【００８４】
たとえば、以下にさらに詳細に説明されるように、オーディオ信号発生器は、ＭＰ４メディア信号内のオーディオ信号を識別し、識別されたオーディオ信号をスピーカまたはヘッドホンに転送してもよい。
【００８５】
次に、図２を参照すると、図２は、本発明の例示的一実施形態による第２のパーソナルメディア再生装置を概略的に示す簡略構成図である。
【００８６】
本発明の例示的一実施形態による、例示的パーソナルメディア再生装置２０００は、ハードウェアとして、またはハードウェアおよびソフトウェアの組合せとして実装されてもよい。
【００８７】
以下にさらに詳細に説明されるように、装置２０００（または装置の少なくともいくつかの部分）は、装置２０００の利用者により装着されてもよい。
【００８８】
装置２０００は信号受信機２１０を含む。
【００８９】
信号受信機２１０は、メディア信号、たとえば音楽クリップ、映画のサウンドトラック、ビデオクリップ、コンピュータゲームのサウンドトラック、ビデオストリームなどを受信する。
【００９０】
当技術分野で公知のように、信号受信機２１０は、音源から、たとえばＭＰ３プレーヤ（たとえば、プレーヤのヘッドホンソケットを介して）、コンピュータ、ゲーム機、ＣＤ−ＲＯＭドライブまたはＤＶＤ（Ｄｉｇｉｔａｌ  Ｖｉｄｅｏ  Ｄｉｓｃ）ドライブなどのメディアリーダ、スマートホン（たとえばＡｐｐｌｅ（商標）のｉ−Ｐｈｏｎｅ）などからメディア信号を受信する。
【００９１】
以下にさらに詳細に説明されるように、信号受信機２１０は、音源への無線接続を介して、音源への有線接続を介して、音源のＵＳＢソケットなどのソケットを介して、またはこれらの任意の組合せを介してメディア信号を受信してもよい。
【００９２】
装置２０００は、信号受信機２１０と通信状態にある信号発生器２２０をさらに含む。
【００９３】
当技術分野で公知のように、任意選択で、信号発生器２２０は、専用デジタル信号処理（ＤＳＰ）チップ上に、デスクトップコンピュータ上に、ラップトップコンピュータ上に、携帯型のスマートホン上などに実装される。
【００９４】
信号発生器２２０は、受信されたメディア信号から信号を得る。
【００９５】
任意選択で、得られた信号は低周波信号である。低周波信号は、人間の耳には感受性が非常に低いが、人体の他の部分には感受性が非常に高い（たとえば触覚による）周波数の信号である。
【００９６】
装置２０００は、有線接続または無線接続を介して信号発生器２２０と通信状態にあり、装置２０００の利用者により着用される２つ以上の振動デバイス２５０をさらに含む。
【００９７】
任意選択で、振動デバイス２５０の少なくとも１つは無線であり、信号発生器２２０は、１つの無線通信周波数を使用して、無線接続を介して振動デバイス２５０と通信する。あるいは、信号発生器２２０は、たとえば、多くの利用者が互いに近接して類似の装置２０００を使用するとき、２つ以上の無線通信周波数を使用して振動デバイス２５０と通信する。
【００９８】
いくつかの実施形態では、無線接続は、限られた範囲の接続であり、有効範囲が５ｍ〜６ｍ、または２ｍ〜３ｍでさえある。いくつかの他の実施形態では、無線接続は、限られた範囲の接続であり、有効範囲が１０ｍ〜２０ｍ、または３０ｍである。
【００９９】
振動デバイス２５０の１つ（または振動デバイス２５０のサブグループ）が、利用者の身体部分の特定の１カ所の上に配置され、特定の身体部分に最適な方法で、得られた信号に従って特定の身体部分上で振動してもよい。
【０１００】
たとえば、以下にさらに詳細に説明されるように、振動デバイス２５０は、振動デバイス２５０が配置された特定の身体部分に最もよく適合する方向に、たとえば装置２０００の携帯者の肉質の身体部分に対して垂直方向に、または携帯者の骨質の身体部分に対して横方向に振動してもよい。
【０１０１】
以下にさらに詳細に説明されるように、振動デバイス２５０は、特定の身体部分に最適な振動デバイス設計により、振動デバイス２５０が配置された特定の身体部分に最適な方法で振動する。
【０１０２】
以下にさらに詳細に説明されるように、任意選択で、振動デバイス２５０は、信号適合機能（たとえば、信号処理用の専用電気回路または周波数選択性増幅器）をさらに含む。
【０１０３】
信号適合機能を使用して、振動デバイス２５０は、たとえば、受信された信号の波形を改変することにより、または低周波範囲の得られた信号の一部だけを増幅することにより、振動デバイス２５０により受信されたときに、得られた信号を特定の部分に対して適合させてもよい。
【０１０４】
すなわち、振動デバイス２５０は、特定の身体部分に最適化された振動デバイス設計、振動デバイス２５０に埋め込まれた適合機能、または両方によって、特定の身体部分に最適な方法で振動を加えてもよい。
【０１０５】
任意選択で、装置２０００は、信号発生器２２０と通信状態にあるコントロールパネル、たとえば設定スイッチまたはタッチスクリーンをさらに含む。
【０１０６】
コントロールパネルは、利用者が信号発生器２２０を制御するための、たとえば得られた信号の振幅を全体として調節するためのユーザインタフェースを提供する。
【０１０７】
以下にさらに詳細に説明されるように、任意選択で、利用者はまた、得られた信号の振幅を特定の身体部分、たとえば利用者の胸の上に配置された振動デバイスに送信されたときに調節して、それにより、特定の身体部分上で感じられる振動を加減するために、コントロールパネルを使用してもよい。
【０１０８】
任意選択で、装置２０００は、信号受信機２１０と通信状態にあるオーディオ信号発生器（図示せず）をさらに含む。
【０１０９】
オーディオ信号発生器は、受信されたメディア信号からオーディオ信号を得て、それにより、利用者が聞くために、メディア信号の少なくとも一部を再生する。
【０１１０】
任意選択で、オーディオ信号発生器は、装置２０００を装着する利用者が使用するスピーカまたはヘッドホンに、メディア信号から得られたオーディオ信号を転送する。
【０１１１】
たとえば、以下にさらに詳細に説明されるように、オーディオ信号発生器は、ＭＰ４メディア信号内のオーディオ信号を識別し、識別されたオーディオ信号をスピーカまたはヘッドホンに転送してもよい。
【０１１２】
次に、図３を参照すると、図３は、本発明の例示的一実施形態による第３のパーソナルメディア再生装置を概略的に示す簡易構造図である。
【０１１３】
本発明の例示的一実施形態による第３の例示的装置は、人３００により装着されるいくつかのユニットを含む。
【０１１４】
各ユニットは、１つまたは複数の振動デバイス、たとえば以下にさらに詳細に説明される例示の振動デバイス（以下、「振動変換器」とも呼ばれる）の１つを収容する。
【０１１５】
ここで、図３は、本発明の例示的一実施形態による装置を人が使用する１つの例示的方法を示すため、および装置の可能な携帯性、ならびにクラブでの音響体験とは対照的な、装置により提供される可能なパーソナル音響体験を示すために提示された。
【０１１６】
人３００は、ヘッドホンを装着しているところが示されていないが、本発明のいくつかの実施形態では、ヘッドホン用のオーディオ接続を実際に含むことに留意されたい。
【０１１７】
以下にさらに詳細に説明されるように、人３００は、人の靴底の周囲に適合して、足の振動デバイス３１０に送信された低周波信号に従って振動を生成するように意図される、第１のタイプの足の振動デバイス３１０の例示の１対を着用しているところが描かれている。
【０１１８】
人３００はまた、人の靴の上部に適合するように意図される第２のタイプの足の振動デバイス３１５を着用しているところが描かれている。第２のタイプの足の振動デバイス３１５はまた、対で使用されるが、簡単に描くために、図３では片方だけが示されている。
【０１１９】
第１のタイプの足の振動デバイス３１０および第２のタイプの足の振動デバイス３１５は通常、一緒に使用されない。例示目的のためだけに、図３では両方が描かれている。
【０１２０】
本発明のいくつかの実施形態では、足の振動デバイスは、弾性のあるバンド（図示せず）を用いて足に、弾性のあるソックス（図示せず）などに取り付けるように設計される。
【０１２１】
本発明のいくつかの実施形態では、足の振動デバイスは、整形外科用挿入物に類似する靴の中敷き（図示せず）として作られることにより、足のすぐそばに配置されるように設計される。
【０１２２】
以下にさらに詳細に説明されるように、人３００は、腰の振動デバイス３２０に送信された低周波信号に従って振動を生成するように意図される、腰の振動デバイス３２０を装着しているところが描かれている。
【０１２３】
人３００は、他の腰の振動デバイス３２１を装着しているところが描かれている。本発明のいくつかの実施形態では、２つ以上の腰の振動デバイスが使用される。他の実施形態では、１つの腰の振動デバイス３２１だけが使用され、腰の振動デバイス３２１は、腰の周囲の異なる場所に配置されてもよい。
【０１２４】
以下にさらに詳細に説明されるように、人３００は、胸の振動デバイス３２５に送信された低周波信号に従って振動を生成するように意図される胸の振動デバイス３２５を着用しているところが描かれている。胸の振動デバイス３２５は、任意選択で、胸骨または胸の骨（ｂｒｅａｓｔ  ｂｏｎｅ）のすぐそばに配置される。
【０１２５】
本発明のいくつかの実施形態によれば、高感度な身体部分に振動感覚を与えるために、高感度な身体部分、たとえば尾椎（尾骨）または他の脊椎部分の上に振動デバイスが配置される。
【０１２６】
本発明のいくつかの実施形態によれば、振動デバイスは、利用者の好みに従って選択される身体部分、既知の身体の聴覚経路および圧覚位置などに配置されてもよい。
【０１２７】
実施形態のいくつかでは、部分に特有な振動が、利用者の注意深く選択された身体部分の中の個々の部分にそれぞれ与えられる。
【０１２８】
以下にさらに詳細に説明されるように、振動は、部分に特有な特徴、たとえば特定の方向（たとえば身体表面に対して特別に選択された方向に）、位置に特有な波形などを有してもよい。
【０１２９】
使用してもよい追加の身体部分が、たとえば任意選択で利用者の胸と真反対の位置にある脊椎に対する背中である。
【０１３０】
本発明のいくつかの実施形態によれば、利用者は、振動を体験するためにどの身体部分を使用すべきか選りすぐる。限定しない一例として、利用者は、ジョギングしている間には、足の振動デバイスなしで出かけることを選択してもよい。
【０１３１】
次に、図４を参照すると、図４は、本発明の例示的一実施形態による振動デバイスを配置するための可能な身体部分を概略的に示す簡易図である。
【０１３２】
図４は、本発明の例示的一実施形態による、人間の骨格４４０に関して振動デバイスを配置するためのいくつかの例示的位置を描く。
【０１３３】
図４は、振動デバイスを配置するための有利な位置が、骨格に近接するまたは骨格４４０を押しつける身体部分に限定されることを意味するものではないことが留意される。
【０１３４】
任意選択で、振動デバイスは、選択された身体の聴覚経路に沿って配置される。以下にさらに詳細に説明されるように、選択された経路に沿った身体部分では、人体が、本発明の例示的実施形態の振動デバイスを用いて生成されたときの、低周波音響の現実の全身感覚に寄与する方法で、振動を感知する。
【０１３５】
例示的部分は：胸骨４４２；胸骨の真後ろの脊椎（図示せず）；骨盤の最上部４４４；大腿骨の最上部４４６；腰背部４４８；片手または両手の橈骨４５０および／または尺骨４５１の近傍（左手の位置は図４に図示せず）；頸骨４５２の近傍；および足首４５４を含むがこれらに限定されない。
【０１３６】
次に、図５を参照すると、図５は、本発明の例示的一実施形態による第４のパーソナルメディア再生装置を概略的に示す簡易構造図である。
【０１３７】
以下にさらに詳細に説明されるように、例示的な第４の装置５０００は、メディア信号受信機５１０、信号発生器５２０およびいくつかの振動デバイス５３１〜５３４を含む装着可能な装置である。
【０１３８】
振動デバイス５３１〜５３４は：右足の振動デバイス５３１、左足の振動デバイス５３２、１つまたは複数の腰の振動デバイス５３３および１つまたは複数の胸の振動デバイス５３４のうち１つまたは複数を含んでもよいが、これらに限定されない。
【０１３９】
以下にさらに詳細に説明されるように、装置５０００は、携帯者が、携帯者の身体に加えた振動と同時にオーディオ信号を聞くことができるようにするために、オーディオ信号発生器（図示せず）だけでなく１つまたは複数のヘッドホンまたはスピーカ５４０をさらに含んでもよい。
【０１４０】
いくつかの実施形態では、メディア信号受信機５１０は、音響信号源へのダムコネクタ（ｄｕｍｂ  ｃｏｎｎｅｃｔｏｒ）を含む。信号源は、低周波チャネルだけを含んでも、低周波チャネルおよび１つまたは複数の通常の帯域幅のオーディオチャネルの両方を含んでもよい。ダムコネクタは、メディアドライブの信号出力（たとえばヘッドホンソケット）に対するものでも、他のアナログ、デジタル、金属ワイヤ、光、または他の信号出力に対するものでもよい。
【０１４１】
いくつかの実施形態では、メディア信号受信機５１０は、無線送信機からの音響信号の伝送を受信する無線受信機を含む。
【０１４２】
いくつかの実施形態では、メディア信号受信機５１０は、周囲の音を拾い上げるマイクロホンを含む。いくつかの実施形態では、メディア信号受信機５１０は、高周波音響信号を除去し、低周波だけを通過させる。
【０１４３】
いくつかの実施形態では、メディア信号受信機５１０は、高周波音響信号を分離して、ヘッドホンに渡し、低周波音響信号を分離して、信号発生器５２０に渡す。
【０１４４】
いくつかの実施形態では、メディア信号受信機５１０は、周囲の音を拾い上げて、拾い上げた周囲の音を使用して、音響信号から周囲ノイズを取り除くマイクロホンを含む。
【０１４５】
いくつかの実施形態では、メディア信号受信機５１０は、周囲の音を拾い上げて、任意選択で音響信号に周囲のノイズを加えるマイクロホンを含む。
【０１４６】
いくつかの実施形態では、メディア信号受信機５１０は、低周波ピックアップ用マイクロホンを含む。
【０１４７】
いくつかの実施形態では、メディア信号受信機５１０は、実際の音響信号源、たとえば限定しない例としてパーソナル・オーディオ・プレーヤ、ラジオ受信機などを含む。
【０１４８】
メディア信号受信機５１０は、低周波チャネルだけを含んでも、低周波チャネルおよび１つまたは複数の通常の帯域幅のオーディオチャネルの両方を含んでもよい。
【０１４９】
当技術分野で公知のように、いくつかの実施形態では、低周波チャネルは、標準的なＬＦＥ（Ｌｏｗ  Ｆｒｅｑｕｅｎｃｙ  Ｅｆｆｅｃｔｓ）チャネルである。
【０１５０】
いくつかの実施形態では、メディア信号受信機５１０は、これまで説明された１つまたは複数の低周波チャネルへのパススルーを提供する。いくつかの実施形態では、メディア信号受信機５１０は、受信された音響信号から低周波をフィルタリングする。
【０１５１】
メディア信号受信機５１０は、信号発生器５２０に接続され、受信された音響信号またはその低周波部分を信号発生器５２０に転送する。
【０１５２】
信号発生器５２０は、メディア信号受信機５１０から受信された１つまたは複数の信号から低周波信号を得て、得られた低周波信号の各々を利用者の身体上の特定部分に対して適合させる。
【０１５３】
以下にさらに詳細に説明されるように、本例では、信号発生器は、振動デバイス５３１〜５３４が配置された腰、胸、右足および左足に対して低周波信号を適合させる。
【０１５４】
次いで、信号発生器５２０は、適合させられた信号を個々の振動デバイス５３１〜５３４に送信する。
【０１５５】
任意選択で、信号発生器５２０は、利用者の身体上の複数の位置で位置特有の振動を誘発するために適合させられた、連係した低周波信号を生成する。
【０１５６】
いくつかの実施形態では、信号発生器５２０は、メディア信号受信機５１０により提供された信号から低周波をフィルタリングする。
【０１５７】
いくつかの実施形態では、信号発生器５２０は、メディア信号受信機５１０により提供された信号から低周波をフィルタリングしない。
【０１５８】
任意選択で、振動デバイス５３１〜５３４は、フィルタリングされていない信号を受け入れ、振動デバイス５３１〜５３４内部の増幅器が、低周波信号だけをフィルタリングし、増幅する。あるいは、以下にさらに詳細に説明されるように、振動デバイスの増幅器は、フィルタリングされていない信号をすべて増幅し、振動デバイス５３１〜５３４が、デバイス５３１〜５３４の機械的応答によって低周波で振動する。
【０１５９】
当技術分野で公知のように、信号受信機５１０および信号発生器５２０の間、ならびに信号発生器５２０および振動デバイス５３１〜５３４の各々の間の接続の各々が、無線であっても、むしろ有線であってもよい。
【０１６０】
いくつかの実施形態では、無線である接続については、信号発生器５２０は、異なるＲＦ周波数間を任意選択で切り換える機構を含む。
【０１６１】
以下にさらに詳細に説明されるように、任意選択で、振動デバイス５３１〜５３４の各々は、振動デバイスが配置された特定の身体部分に低周波振動を与えるように設計される。
【０１６２】
任意選択で、振動デバイスの少なくとも１つが、振動デバイスが配置された特定の身体部分に最適化された特徴を有する。たとえば、以下にさらに詳細に説明されるように、振動デバイスは特定の身体部分に最適な方向に振動してもよい。
【０１６３】
ヘッドホン／スピーカユニット５４０は、通常の全帯域幅の音響を１つまたは複数の標準的なヘッドホンおよび／またはスピーカに与えるように設計される。
【０１６４】
腰の振動デバイス５３３の各々は任意選択であり、いくつかの実施形態では、腰の振動デバイス５３３をまったく含まない。
【０１６５】
いくつかの実施形態では、１つまたは複数の腰の振動デバイス５３３は、腰の部分に着用された衣類の物品、たとえばベルト、ズボン、スカートなどに取り付けるように設計されている。
【０１６６】
いくつかの実施形態では、腰の振動デバイス５３３は、鼓動モニタに類似するストラップにより腰の部分に取り付けるように設計される。いくつかの実施形態では、ストラップはゴムまたはシリコーンのストラップ、たとえば脈拍数モニタストラップに類似するストラップでもよい。いくつかの実施形態では、腰の振動デバイス５３３は、ベルトの中に組み込まれるように設計される。
【０１６７】
以下にさらに詳細に説明されるように、いくつかの実施形態では、腰の振動デバイス５３３により与えられる振動は、腰の部分に最適化された方向の、たとえば携帯者の身体の表面または皮膚に対して横方向の方向性振動である。
【０１６８】
胸の振動デバイス５３４の各々は任意選択であり、いくつかの実施形態では、胸の振動デバイス５３４をまったく含まない。いくつかの実施形態では、胸の振動デバイス５３４は、胸の部分に着用された衣類の物品、たとえばシャツ、ジャケット、肌着、ブラジャー、ストラップなどに取り付けるように設計されている。
【０１６９】
胸の振動デバイス５３４は、ライブステージなどの大音量のオーディオ環境に推奨してもよいことが留意される。生演奏などの高ノイズ環境で使用されるとき、胸の振動デバイス５３４および任意選択でさらに腰の振動デバイス５３３も、携帯者の身体に、よりきつく取り付けてもよい。当技術分野で公知のように、胸の振動デバイス５３４は、ストラップ、ベルト、接着性ストラップ、半剛体の接着性ストラップ、ベルクロ（Ｖｅｌｃｒｏ）（商標）ストラップのような面ファスナー（ｌｏｏｐ  ａｎｄ  ｈｏｏｋ）締め具などのうち１つまたは複数を使用して、携帯者の身体に取り付けてもよい。
【０１７０】
いくつかの実施形態では、メディア信号受信機５１０および信号発生器５２０は、１つのユニット５７０の中に一緒にパッケージ化される。
【０１７１】
いくつかの実施形態では、メディア信号受信機５１０、信号発生器５２０、および腰の振動デバイス５３３の１つまたは複数が、１つのユニット５８０の中に一緒にパッケージ化される。
【０１７２】
いくつかの実施形態では、メディア信号受信機５１０、信号発生器５２０および胸の振動デバイス５３４の１つが、単一ユニット（図示せず）の中に一緒にパッケージ化される。
【０１７３】
いくつかの実施形態では、メディア信号受信機５１０、信号発生器５２０および足の振動デバイス５３１、５３２の１つが、単一ユニット（図示せず）の中に一緒にパッケージ化される。任意選択で、１つのユニットは、靴の上に取り付けられるのではなく任意選択で靴の中に組み込まれる靴ユニットである。
【０１７４】
装置５０００の一部の各々は、電気エネルギー源を必要とすることがある。
【０１７５】
電気エネルギー源は電池でもよく、電池は通常のものでも、再充電可能でもよい。装置５０００の一部に電気エネルギーを供給する他の方法が；人の動きを利用して電気エネルギーを発生させること、エネルギー送信機から放射されたエネルギーを受け取る誘導コイルを使用すること、またはたとえば大容量のコンデンサを備える再充電可能な電池を使用することを含むが、これらに限定されない。
【０１７６】
装置５０００の一部にエネルギーを供給する他の方法が、機械的エネルギーを蓄積し、解放すること、たとえば機械ばね（図示せず）を巻いて、解放することを含んでもよい。
【０１７７】
本発明のいくつかの例示的実施形態によれば、振動デバイス５３１〜５３４のうちの異なる１つにより各特定の身体部分に加えられる振動は、部分特有の特徴を有してもよい。
【０１７８】
以下にさらに詳細に説明されるように、部分特有な特徴は：たとえば身体表面に対して特別に選択された角度の特定の方向、異なる身体部分間で変化する振動位相、部分特有な波形などを含んでもよいが、これらに限定されない。
【０１７９】
たとえば、典型的には、横方向の振動は、肉質の場所では垂直方向の振動よりも局在化していないとして感じられ、脳が全身の振動感覚を生成する手助けをする。
【０１８０】
典型的には、垂直方向の振動は、肉質の場所ではより局在化しており、広がらないと感じられる。
【０１８１】
いくつかの身体部分では、典型的には骨の近傍では、垂直方向の振動は、より局在化しておらず、より広がらないと感じられる。
【０１８２】
したがって、本発明の振動デバイスの各々は、振動デバイスが配置された所期の身体部分に従って、携帯者の身体表面もしくは皮膚に対して横方向に、または携帯者の身体表面または皮膚全体に実質的に傾いた角度で振動を加えるように設計されてもよい。
【０１８３】
すなわち、以下にさらに詳細に説明されるように、振動デバイスの特定の設計および配置が、特定の身体部分に対して振動を最適化するのに役立つことがある。
【０１８４】
従来の方法では、脳が全身感覚を得るのを手助けするために、できるだけ広い身体部分に振動を加えなければならない。
【０１８５】
対照的に、本実施形態の例示的一実施形態では、利用者の身体の注意深く選択された部分の中の個々の部分それぞれに特有の振動が加えられる。以下にさらに詳細に説明されるように、振動は、位置特有の特徴、たとえば特定の方向（たとえば身体表面に特別に選択された角度で）、位置特有の波形などを有してもよい。したがって、少数の振動デバイスが、全身感覚を生成することができる。
【０１８６】
たとえば、装置５０００の足の振動デバイス５３１、５３２は、骨に対して垂直方向の振動を生成することができる。以下にさらに詳細に説明されるように、骨質の部分では、垂直方向の振動が、より局在化しておらず、より広がると感じられる。
【０１８７】
したがって、足に、たとえば足底に加えられる振動は、振動する環境が足全体に与える現実の影響をシミュレートする助けとなることがある。
【０１８８】
足は脳に振動感覚の多くを提供するので、腰に加えられる振動と一緒に足に加えられる振動は、脳が全身感覚を提供するのにほぼ十分な振動感覚を提供することができる。
【０１８９】
いくつかの実施形態では、信号発生器５２０は、動きに似た感覚、たとえば、野外劇場、閉ざされたダンスクラブ、大音量の低音スピーカを有する車などの中で感じられる感覚を模倣する振動を誘導するための波形を用いて低周波信号を適合させる。
【０１９０】
たとえば、信号発生器５２０は、振動デバイスが配置された身体部分に非対称鋸歯状波の振動を加えるように低周波信号を適合させてもよい。したがって、利用者の脳により、方向感覚が感じられる。
【０１９１】
他の例では、信号発生器５２０は、振動デバイスが配置された身体部分に、２つ以上の非対称鋸歯状（または他の）パターン間で交替する波形の振動を加えるように低周波信号を適合させる。したがって、利用者の脳により、方向が変わる感覚が感じられる。
【０１９２】
いくつかの実施形態では、信号発生器５２０は、身体部分の各々で異なる感度を補償するために、異なる身体部分に配置された振動デバイスに送信される信号に対して異なる増幅を適合させる。
【０１９３】
いくつかの実施形態では、信号受信機５２０は、身体部分の各々に対して、異なる信号または形状が類似した異なる振幅の信号を生成する。
【０１９４】
任意選択で、信号発生器５２０は、携帯者の身体上の異なる振動デバイス間の距離に少なくとも一部は基づき、異なる身体部分に送信された信号間に遅延または位相のずれを導入する。
【０１９５】
いくつかの実施形態では、遅延は、筋肉組織に並置されたときの身体の中、すなわち骨の中の音速に基づく。
【０１９６】
いくつかの実施形態では、遅延は、空中での音速および木製の床またはコンクリート製の床などの固体媒体中の音速の間の差に基づく。
【０１９７】
いくつかの実施形態では、信号発生器５２０は、信号がどの身体部分に向けられるかに少なくとも一部は基づき、異なる信号を身体部分の各々に対して適合させる。
【０１９８】
いくつかの実施形態では、全身の音響感覚については、波形が類似する異なる信号に対して身体部分特有の振幅を生成することが十分な場合がある。異なる振幅は、身体部分間のバランスを保つことができ、その結果、どの身体の一部も他の身体の一部により生成された感覚と重複する感覚を生成しない。
【０１９９】
したがって、身体の一部により生成された感覚は、バランスをよく保つことができる。
【０２００】
信号発生器５２０はまた、信号が向けられる特定の身体部分に最適な周波数範囲で信号の各々を適合させてもよい。
【０２０１】
限定しない一例として、胸骨は、同じエネルギーを受け取ったとき、４０Ｈｚの振動については足よりもよく反応する。音響体験のバランスを保つためには、胸骨は足より増幅されていない４０Ｈｚの信号を受け取ってもよい。
【０２０２】
いくつかの実施形態では、信号発生器５２０または信号受信機５１０は、ブラウンノイズ（ｂｒｏｗｎ  ｎｏｉｓｅ）周波数およびその低調波を信号から除去する、または実質的に減衰させる。
【０２０３】
いくつかの実施形態では、信号発生器５２０または信号受信機５１０は、ブラウンノイズ周波数およびその低調波を信号から除去する、または実質的に減衰させる。
【０２０４】
いくつかの実施形態では、信号発生器５２０または信号受信機５１０は、イエローノイズ（ｙｅｌｌｏｗ  ｎｏｉｓｅ）周波数およびその低調波を信号から除去する、または実質的に減衰させる。
【０２０５】
いくつかの実施形態では、信号発生器５２０または信号受信機５１０は、グリーンノイズ（ｇｒｅｅｎ  ｎｏｉｓｅ）周波数およびその低調波を信号から除去する、または実質的に減衰させる。
【０２０６】
他の限定しない例として、音響体験が音楽体験であるとき、振動デバイスは、任意選択で、胸、背中、腰および足などの身体部分に、身体聴覚経路に沿って置かれる。
【０２０７】
次に、図６を参照すると、図６は、本発明の例示的一実施形態によるコントロールパネルを概略的に示す簡易構造図である。
【０２０８】
以下にさらに詳細に説明されるように、利用者が、信号発生器１２０または２２０により得られたまたは適合させられた信号の特定の増幅を調節し、それにより、特定の身体部分で感じられる振動を加減するために、信号発生器１２０または２２０を制御することができるようにすることが可能な１つの方法を図示するのに、例示的コントロールパネル６７０が役立つことがある。
【０２０９】
例示的コントロールパネル６７０は、１つまたは複数の増幅制御手段６７５、６８０を含む。
【０２１０】
いくつかの実施形態では、増幅制御手段６７５、６８０は、増幅を設定するためのスライダ６７６を含む。いくつかの実施形態（図示せず）では、増幅制御手段は、増幅を設定するための回転ボタンを含む。
【０２１１】
当技術分野で公知のように、いくつかの実施形態（図示せず）では、増幅制御手段は、仮想制御手段、たとえばスライダ、ラジオボタンなどを備えるタッチスクリーンを含む。
【０２１２】
いくつかの実施形態では、コントロールパネル６７０は、全体的な増幅のための増幅制御手段６８０を含む。
【０２１３】
いくつかの実施形態では、コントロールパネル６７０は、異なる身体部分での増幅を設定するための２つ以上の増幅制御手段６７５を含む。
【０２１４】
コントロールパネル６７０は、どの増幅制御手段６７５がどの身体部分に対する増幅を設定するかを利用者に示すためのラベル６７７、および全体的な増幅制御手段６８０のためのラベル６８１を含んでもよい。
【０２１５】
いくつかの実施形態では、コントロールパネル６７０は、信号発生器１２０または２２０および振動デバイス１５０または２５０の間で無線通信用に使用される周波数間をそれぞれ切り換えるための制御手段（図示せず）をさらに提供する。
【０２１６】
任意選択で、コントロールパネル６７０は、利用者がいくつかの環境の中から選択することができるユーザインタフェース、たとえば１つまたは複数のボタン６９１  ６９２、ノブ、またはタッチインタフェースをさらに含む。
【０２１７】
たとえば、利用者が、「ライブコンサート」６９２、「野外」６９１などの環境の中から選択することができるようになっていてもよい。したがって、以下にさらに詳細に説明されるように、信号発生器１２０は、利用者が選択した環境に従って信号を適合させる。
【０２１８】
次に、図７を参照すると、図７は、本発明の例示的一実施形態による第１のパーソナルメディア再生方法を概略的に示す流れ図である。
【０２１９】
第１の例示的方法では、以下にさらに詳細に説明されるように、たとえば装置１０００の信号受信機１１０により、メディア信号、たとえば映画のサウンドトラックもしくは音楽クリップ、ビデオクリップまたはビデオストリームが受信される７１０。
【０２２０】
メディア信号は、従来技術で公知のように、音源から、たとえばＭＰ３プレーヤ（たとえばプレーヤのヘッドホンソケットを介して）、コンピュータ、ゲーム機、ＣＤ−ＲＯＭドライブまたはＤＶＤ（Ｄｉｇｉｔａｌ  Ｖｉｄｅｏ  Ｄｉｓｃ）ドライブなどのメディアリーダ、スマートホン（たとえばＡｐｐｌｅ（商標）のｉ−Ｐｈｏｎｅなど）などから受信してもよい７１０。
【０２２１】
以下にさらに詳細に説明されるように、メディア信号は、音源への無線接続を介して、音源への有線接続を介して、音源のＵＳＢソケットなどのソケットを介してまたはこれらの任意の組合せを介して受信してもよい７１０。
【０２２２】
次いで、たとえば装置１０００の信号発生器１２０により、受信された７１０メディア信号から２つ以上の信号が得られる７２０。得られた７２０信号は、類似していても、互いに異なっていてもよい。
【０２２３】
任意選択で、得られた７２０信号は低周波信号である。低周波信号は、人間の耳には感受性が非常に低いが、人体の他の部分には感受性が非常に高い（たとえば触覚による）周波数の信号である。
【０２２４】
任意選択で、事前設定された数の、たとえば利用者または装置１０００の製造業者により事前設定された数の身体部分に対して、信号が得られ７２０、一方では、メディア信号の記録が、異なった数のチャネルに基づいてもよい。
【０２２５】
一例では、メディア信号は、２チャネルを有する携帯型ステレオ・メディア・プレーヤから発生し、メディア信号から８つの低周波信号が、すなわち利用者の８カ所の身体部分の各１カ所に対して１つの信号が得られる７２０。
【０２２６】
他の例では、メディア信号は７つのチャネルを有するＤＶＤプレーヤから発生し、メディア信号から５つの低周波信号が、すなわち利用者の５カ所の身体部分の各１カ所に対して１つの信号が得られる７２０。
【０２２７】
以下にさらに詳細に説明されるように、得られた７２０信号の各々は、装置１０００の利用者の２カ所以上の身体部分の各１カ所に対してさらに適合させられる７３０。
【０２２８】
たとえば、信号発生器１２０は、たとえば骨質の部分に最適な周波数（または周波数範囲）を用いて、骨が皮膚に近接する特定の身体部分（たとえば片方の脚）に対して、得られた７２０信号の一方を適合させてもよい７３０。
【０２２９】
同様に、信号発生器１２０は、腰などのより肉質の部分に最適な周波数（または周波数範囲）を用いて、得られた７２０信号の他方を適合させてもよい７３０。
【０２３０】
最後に、適合させられた７３０信号は、たとえば特定の身体部分上に配置された１つまたは複数の振動デバイス１５０を使用して、特定の身体部分に振動を加える７５０ために使用される。振動デバイス１５０は、特定の身体部分に対して適合させられた７３０信号に従って身体部分上で振動する。
【０２３１】
得られた７２０信号の適合７３０は、さまざまな信号操作のうち１つまたは複数を含んでもよい。
【０２３２】
以下にさらに詳細に説明されるように、信号操作は：得られた７２０信号の中に、ある種の信号シーケンスを挿入すること、得られた７２０信号の波形を改変すること、得られた７２０信号の一定部分を圧縮すること、フィルタリングおよび等化を行うこと、利用者の異なる身体部分に対して得られた７２０信号間に遅延を導入することなどを含んでもよいが、これらに限定されない。
【０２３３】
すなわち、以下にさらに詳細に説明されるように、適合させられた７３０信号の各々は、特定の身体部分に対して最適化することができる。
【０２３４】
任意選択で、得られた７２０信号は、特定の身体部分に最適な波形（たとえば鋸歯状）を用いて適合させられる７３０。
【０２３５】
たとえば、利用者の片手に向けられた、得られた７２０信号は、比較的急激な振幅上昇（アタックとも呼ばれる）および比較的緩慢な振幅減衰、またはこの逆により特徴付けられる非対称波形を用いて適合させられてもよい７３０。
【０２３６】
したがって、非対称波形を用いて適合させられた７３０信号に基づき、振動を利用者の片手に加える７５０と、利用者の片手の上に動きに似た感覚が生成される。さらに、動きに似た感覚により、動きに似た感覚と反対の方向に（押す感覚に対する）または感覚の方向に（引く感覚に対する）、現実のフィードバック動作で片手に応答させられることができる。
【０２３７】
以下にさらに詳細に説明されるように、任意選択で、得られた７２０信号は、身体部分に最適な周波数または周波数範囲を用いて適合させられる７３０。
【０２３８】
任意選択で、得られた７２０信号は、あらかじめ定義されたシーケンスを低周波信号に挿入することにより適合させられる７３０。
【０２３９】
一例では、以下にさらに詳細に説明されるように、メディア信号内にあらかじめ定義された信号シーケンス（たとえば爆発に特有な音響）が識別されたときはいつでも、振動効果の専用データベースに蓄積されたさまざまな信号シーケンスの中から選択された特定の信号シーケンス（たとえばブーム効果に特有なシーケンス）が挿入されてもよい。
【０２４０】
任意選択で、信号は、特定の環境、たとえば野外の環境、閉ざされたホールの環境、大音量の低周波スピーカを備える車、木製の床を備える環境、コンクリート製の床を備える環境などをシミュレートするために適合させられる７３０。
【０２４１】
たとえば、木製の床の環境に適合させられた７３０信号に、木製の床の振動シーケンスが挿入されてもよく、一方では、コンクリート製の床に適合させられた７３０信号に、コンクリート製の床の振動シーケンスが挿入されてもよい。
【０２４２】
任意選択で、信号発生器１２０は、特定の環境でライブサウンド体験中の利用者の身体位置の測定に基づき、特定の振幅、遅延または位相差を用いてあらかじめ構成される。
【０２４３】
信号発生器１２０は、特定の環境で測定された特定の振幅、遅延または位相差を使用して、得られた７２０信号を特定の環境に対して適合させてもよい７３０。
【０２４４】
以下にさらに詳細に説明されるように、任意選択で、利用者は、環境の中から選択するために、たとえばコントロールパネルを使用して環境の１つを選択することができるようになる。
【０２４５】
メディア信号は、標準を再生したときに、すなわちビデオクリップまたは映画のサウンドトラックなどの、何百万もの現在利用可能なメディア項目の１つを再生したときに生成される信号でもよい。
【０２４６】
本例示的方法が動作するために、メディア項目の製作者が、特定の振動チャネルを用いてもしくはチャネル間の信号配分を修正して、メディアをリミックスする、または振動チャネルの補充ミキシングを提供する必要はない。
【０２４７】
以下にさらに詳細に説明されるように、任意選択で、たとえば振動デバイス７５０により特定の身体部分に最適な方法で、特定の身体部分上に振動が加えられる７５０。
【０２４８】
たとえば、以下にさらに詳細に説明されるように、振動デバイス１５０は、身体部分に最適な方向で振動してもよい７５０。
【０２４９】
本例では、以下にさらに詳細に説明されるように、振動デバイス１５０は、振動デバイス１５０が配置された特定の身体部分に最もよく適合する方向に、たとえば装置１０００の携帯者の肉質の身体部分に対して垂直方向に、または骨質の身体部分に対して横方向に振動する。
【０２５０】
以下にさらに詳細に説明されるように、任意選択で、振動デバイス１５０自体は、信号適合機能（たとえば信号処理用の専用電気回路または周波数選択性増幅器）をさらに含む。
【０２５１】
以下にさらに詳細に説明されるように、信号適合機能を使用して、振動デバイス１５０は、受信した信号の波形をさらに改変することにより、または低周波範囲内の受信された信号の一部だけを増幅することにより、振動デバイス１５０により受信された信号をさらに適合させてもよい。
【０２５２】
任意選択で、たとえば下半身部分から上半身部分へ上昇するまたはその逆の感覚を生成するために、利用者の異なる身体部分に対して適合させられた７３０少なくとも２つの信号間に位相差がさらに導入される。
【０２５３】
任意選択で、低周波信号を適合させる７３０ために、あらかじめ定義されたプロトコルに従って、受信された７１０メディア信号に埋め込まれた制御データがさらに使用される。たとえば、以下にさらに詳細に説明されるように、信号発生器１２０は、信号受信機により受信された７１０メディア信号内にある種のトーンを識別したとき、メディア信号から得られた７２０信号にある種の信号シーケンスを導入してもよい。
【０２５４】
以下にさらに詳細に説明されるように、任意選択で、本方法は、利用者が、たとえばコントロールパネルを使用して、信号の適合７２０を制御することができるようにすることをさらに含む。
【０２５５】
たとえば、利用者は、特定の身体部分（たとえば腰）に対して適合させられた７３０、得られた７２０信号の振幅を調節するために、コントロールパネルを使用してもよい。したがって、以下にさらに詳細に説明されるように、特定の身体部分上で感じられる振動が加減されてもよい。同様に、以下にさらに詳細に説明されるように、利用者は、得られた７２０信号振幅を全体として調節する、または特定の環境を選択することができるようになってもよい。
【０２５６】
任意選択で、本方法は、利用者が聞くために、受信されたメディア信号からオーディオ信号を得て、これにより、受信された７１０メディア信号の少なくとも一部を再生することをさらに含む。
【０２５７】
たとえば、以下にさらに詳細に説明されるように、装置１０００のオーディオ信号発生器は、ＭＰ４メディア信号内の、人間の耳に感受性が高い周波数でオーディオ信号を識別し、識別されたオーディオ信号を、利用者が装着したスピーカまたはヘッドホンに転送してもよい。
【０２５８】
次に、図８を参照すると、図８は、本発明の例示的一実施形態による第２のパーソナルメディア再生方法を概略的に示す流れ図である。
【０２５９】
第２の例示的方法では、以下にさらに詳細に説明されるように、たとえば装置２０００の信号受信機２１０により、メディア信号、たとえば映画のサウンドトラック、音楽クリップ、ビデオクリップまたはビデオストリームが受信される８１０。
【０２６０】
当技術分野で公知のように、メディア信号は、音源から、たとえばＭＰ３プレーヤ（たとえばプレーヤのヘッドホンソケットを介して）、コンピュータ、ゲーム機、ＣＤ−ＲＯＭドライブまたはＤＶＤ（Ｄｉｇｉｔａｌ  Ｖｉｄｅｏ  Ｄｉｓｃ）ドライブなどのメディアリーダ、スマートホン（たとえばＡｐｐｌｅ（商標）のｉ−Ｐｈｏｎｅなど）などから受信されてもよい８１０。
【０２６１】
以下にさらに詳細に説明されるように、メディア信号は、音源への無線接続を介して、音源への有線接続を介して、音源のＵＳＢソケットなどのソケットを介してまたはこれらの任意の組合せを介して受信してもよい８１０。
【０２６２】
次いで、たとえば装置２０００の信号発生器２２０により、受信された８１０メディア信号から信号が得られる８２０。
【０２６３】
任意選択で、得られた８２０信号は低周波信号である。低周波信号は、人間の耳には感受性が非常に低いが、人体の他の部分には感受性が非常に高い（たとえば触覚による）周波数の信号である。
【０２６４】
最後に、以下にさらに詳細に説明されるように、たとえば利用者の特定の身体部分上に配置された振動デバイス２５０により、特定の身体部分に最適な方法で、得られた８２０信号に従って２カ所以上の身体部分の特定の各１カ所に振動が加えられる８５０。
【０２６５】
任意選択で、振動は、特定の身体部分に最適な方向に、特定の身体部分上に加えられる８５０。
【０２６６】
たとえば、以下にさらに詳細に説明されるように、振動デバイス２５０は、振動デバイス２５０が配置された特定の身体部分に最もよく適合する方向に、たとえば、装置２０００の携帯者の肉質の身体部分に対して垂直方向に、または携帯者の骨質の身体部分に対して横方向に振動してもよい。
【０２６７】
任意選択で、以下にさらに詳細に説明されるように、得られた８２０信号は、たとえば振動デバイス２５０に含まれる信号処理用の専用電気回路または周波数選択性増幅器を使用して適合させられる。
【０２６８】
任意選択で、本方法は、利用者が聞くために、受信されたメディア信号からオーディオ信号を得て、それによって、メディア信号の少なくとも一部を再生することをさらに含む。
【０２６９】
以下にさらに詳細に説明されるように、任意選択で、本方法は、メディア信号から得られたオーディオ信号をスピーカまたはヘッドホンに転送することをさらに含む。
【０２７０】
たとえば、以下にさらに詳細に説明されるように、装置２０００のオーディオ信号発生器２２０は、ＭＰ４メディア信号内の、人間の耳に感受性が高い周波数でオーディオ信号を識別し、識別されたオーディオ信号を利用者が装着したスピーカまたはヘッドホンに転送してもよい。
【０２７１】
以下にさらに詳細に説明されるように、任意選択で、本方法は、利用者の胸または他の特定の身体部分に配置された振動デバイスに信号を送信する前に、利用者が、信号の取得８２０を制御する、または得られた８２０信号の振幅を調節することができるようにすることをさらに含む。したがって、以下にさらに詳細に説明されるように、利用者の特定の身体部分上で感じられる振動を加減することができる。
【０２７２】
次に、図９を参照すると、図９は、本発明の例示的一実施形態による第３のパーソナルメディア再生方法を概略的に示す流れ図である。
【０２７３】
第３の例示的方法では、オーディオ信号が受信される９５０。
【０２７４】
受信された９５０オーディオ信号に少なくとも一部は基づき、人の身体の異なる部分で位置特有の振動を誘発するために適合させられた、連係した信号が生成される９５５。
【０２７５】
次いで、生成された９５５連係した信号の各々は、身体部分の個々の１カ所に配置された個々の振動デバイスに提供される９６０。最後に、振動デバイスは、振動デバイスに提供された９６０連係した信号に少なくとも一部は基づき、身体部分上に低周波振動を加える９６５ために使用される。
【０２７６】
以下にさらに詳細に説明されるように、任意選択で、加えられた９６５振動は、人の身体上の個々の部分に最適化された特徴を有する。
【０２７７】
振動を誘発するために信号を連係させることは、以下の基準の１つまたは複数に基づき任意選択で行われる：
−信号がどの身体部分に向けられるかに基づく、限定しない例として、身体部分の感受性に基づく、振動デバイスが骨質の身体部分に取り付けられたか、むしろ肉質の身体部分に取り付けられたかに基づくなど、信号の各々に対して異なる振幅；
−以下にさらに詳細に説明されるように、コントロールパネルを使用して、人により設定された振幅に基づく、信号の少なくとも１つに対して異なる振幅；および
−音源からの距離、人の頭からの距離、人の足からの距離、振動デバイス間の距離などに基づく、信号の各々に対して異なる遅延（したがって、さらに位相の変化）。遅延は、任意選択で、空中の音速、および骨または人体の他の部分の音速の間の差などに従って設定さてれもよい。
【０２７８】
次に、図１０を参照すると、図１０は、本発明の例示的一実施形態による第４のパーソナルメディア再生方法を概略的に示す流れ図である。
【０２７９】
第４の例示的方法は：
−オーディオ信号に１つまたは複数の低周波信号を埋め込む１００５ことにより、高度なメディア信号、たとえば高度なオーディオ信号を生成するステップ；
−高度なオーディオ信号を受け入れる装置に高度なオーディオ信号を送信する１０１０ステップ；
−埋め込まれた１００５低周波信号の１つに少なくとも一部は基づき、利用者の１カ所または複数カ所の身体部分で位置特有の振動を誘発するために適合させられた信号を装置に生成させる１０１５ステップ；
−生成された信号の各々を特定の身体部分上に配置された個々の１つ（または複数）の振動デバイスに提供する１０２０ステップ；および
−提供された１０２０低周波信号に少なくとも一部は基づき、振動デバイスに低周波振動を特定の身体部分に与えさせる１０２５ステップ
を含む。
【０２８０】
任意選択で、低周波信号は専用チャネルに埋め込まれる。
【０２８１】
任意選択で、低周波信号はいくつかの専用チャネルに埋め込まれる。そのような場合、任意選択で、チャネルは、それらの所期の身体部分に適合させられてもよい。一例として、足に対して振動を誘発することが、特定の周波数または周波数範囲で符号化されてもよく、腰または胸などの異なる身体部分に対して振動を誘発することが、異なる特定の周波数または周波数範囲で符号化されてもよい。
【０２８２】
任意選択で、埋め込まれた信号は、音楽業界が採用することができるプロトコルに準拠する制御データを含む。いくつかの実施形態では、異なる専用チャネルがあり、各専用チャネルは、異なる身体部分に対する制御データを符号化する。
【０２８３】
いくつかの実施形態では、身体部分の少なくとも１カ所に対する符号化は、振動をいつ与えるべきかおよび振動をどの振幅で与えるべきかに関する符号化を含む。
【０２８４】
いくつかの実施形態では、専用チャネルはビデオストリーム内部に、たとえば垂直帰線消去期間中に、符号化されたビデオイメージなどの内部に、パッケージ化してもよい。
【０２８５】
本発明の例示的一実施形態による装置が、特定の身体部分に最適な方法で特定の身体部分に振動を加えるためにそれぞれ設計された振動デバイスを含んでもよい。
【０２８６】
以下の図は、本発明の例示的実施形態による振動デバイス（以下、「振動変換器」とも呼ばれる）のためのいくつかの新規で進歩性のある設計を例示するために使用される。
【０２８７】
次に、図１１Ａを参照すると、図１１Ａは、本発明の例示的一実施形態による振動変換器を備える靴底を概略的に示す簡易構造図である。
【０２８８】
図１１Ａは、組み込まれたまたは改造された１対の振動変換器１１０２を含む靴底１１００を描く。
【０２８９】
図１１Ａの例では、振動変換器１１０２は、磁石１１０５およびコイル１１１０を含む。コイル１１１０は交流電流を受け入れ、交流電流は、低周波で磁石１１０５を振動させ、靴の携帯者の足に振動を与えさせる。
【０２９０】
当技術分野で公知のように、磁石１１０５は、永久磁石、電磁石などでもよい。
【０２９１】
いくつかの実施形態では、側面、前および後ろ、または両方であろうとなかろうと、足底に対して横方向に、足底に振動が与えられる。
【０２９２】
足底に対して横方向に足底に振動を与えることにより、人が足底に与える圧力に対する依存性がより少ない振動感覚を生成することができる。足ユニットが、人の体重に、それぞれの足にどれくらいの体重がかかるかに、人が振動を感知しながら歩き回ることなどに、より依存しなくなり得る。
【０２９３】
いくつかの実施形態では、足の振動変換器１１０２は、足底に対して垂直方向に振動を足底に与える。
【０２９４】
足底に対して垂直方向に振動を足底に与えると、床へのエネルギー損失があることがあり、歩いている間に振動感覚が一様でなくなることがある。
【０２９５】
いくつかの実施形態では、振動変換器１１０２は、足底で圧力を測定するための１つまたは複数の圧力感知ユニットを含む。感知された圧力により、感知された圧力に少なくとも一部は基づき、低周波振動の振幅を修正可能にすることができる。任意選択の修正は、足底への圧力とは無関係に、実質的に同等の振動感覚を生成するために行われる。
【０２９６】
いくつかの実施形態では、靴底１１００は、床に対する靴底の接触域をたとえば特定のストリップまたはスポットまで低減するように修正される。床に対する靴底の接触域はまた、利用者の足を押す。振動変換器１１０２は、任意選択で、靴底をそれほど大きく押さない最小の接触域で振動を生成するように配置される。
【０２９７】
いくつかの実施形態では、靴底１１００は、歩いている間の、足底に対する圧力変化を減らすように構築されたショックアブソーバまたは他の処置デバイスまたは構成要素を有し、それによって、振動変換器１１０２により与えられた振動がよりよく、よりバランスがとれた方法で感じられるようになる。
【０２９８】
次に、図１１Ｂおよび図１１Ｃを参照すると、図１１Ｂおよび図１１Ｃは、本発明の例示的実施形態による第１の振動変換器の上面図および側面図を概略的にそれぞれ示す簡易構造図である。
【０２９９】
図１１Ｂおよび図１１Ｃは、図１１Ａの靴底に組み込まれた振動変換器１１０２の磁石１１０５およびコイル１１１０、ならびにこれらの相対位置を描く。
【０３００】
図１１Ａ〜図１１Ｃの新規な振動変換器１１０２は、従来型のスピーカ、ボイスコイルおよびソレノイドとは異なって作動することが留意される。スピーカ、ボイスコイルおよびソレノイドは、コイルを使用して、これらの電気コイルの中心により規定される軸に沿って直線的に質量を動かすが、振動変換器１１０２は、その軸に沿って磁石１１０５を「小刻みに振り動かす」。以下にさらに詳細に説明されるように、任意選択で、振動変換器１１０２は小型設計であり、可動部分（たとえば磁石１１０５）がコイル１１１０を実質的に越えて伸びていない。
【０３０１】
いくつかの実施形態では、磁石１１０５およびコイル１１１０は、弾性部材により互いに接続される。以下にさらに詳細に説明されるように、弾性部材のいくつかの限定しない例には、弾性膜、任意選択で非導電性膜、いくつかの弾性アームなどが含まれる。
【０３０２】
いくつかの実施形態では、磁石１１０５およびコイル１１１０は、支持フレーム（図示せず）に接続される。任意選択で、磁石１１０５、コイル１１１０または両方は、弾性部材（図示せず）により支持フレームに接続される。
【０３０３】
次に、図１２Ａ、図１２Ｂおよび図１２Ｃを参照すると、図１２Ａ、図１２Ｂおよび図１２Ｃは、本発明の例示的実施形態による第２の、第３のおよび第４の振動変換器を概略的にそれぞれ示す簡易構造図である。
【０３０４】
図１２Ａは、振動変換器の平坦な設計の一例を描く。
【０３０５】
図１２Ａの例示的振動変換器は、コイル１２１５の内部に磁石１２２０を含む。任意選択で、磁石１２２０もコイル１２１５も平坦な設計を有し、限定しない例として、高さが１ｃｍ以下、高さが５ｍｍ、またはさらには高さが３ｍｍ以下である。
【０３０６】
図１２Ｂは、２つの磁石１２２０および１つのコイル１２１５を使用する振動変換器の一例を描く。
【０３０７】
図１２Ｃは、２つのコイル１２１５および単一の磁石１２２０を使用する振動変換器のさらに他の例を描く。
【０３０８】
図１２Ｂおよび図１２Ｃの振動変換器は、任意選択で、より大きな縦幅が利用できる場合に、特により大きなエネルギーが必要とされるときに使用される。
【０３０９】
次に、図１３を参照すると、図１３は、本発明の例示的一実施形態による第５の振動変換器を概略的に示す簡易構造図である。
【０３１０】
図１３の例示的振動変換器１３１０は、弾性要素、たとえば一方の末端で支持フレーム１３１３に、他方の末端でコイル１３１２に接続されたばね１３１１、任意選択で同一支持フレーム１３１３に接続された１つまたは複数の磁石１３１４を含む。ばね１３１１は、任意選択で、実質的に堅いワイヤ、板ばねまたは同様に弾性があり屈曲に対してある程度抵抗性のある構造物である。任意選択で、ばね１３１１は、フレーム１３１３自体の一部またはフレーム１３１３全体を形成する。
【０３１１】
いくつかの実施形態では、コイル１３１２および磁石１３１４は、上述のばね１３１１を有してまたは有しないで、可撓性のある基板（図示せず）に、たとえばゴムに、可撓性のあるシリコーンパッドに、ゲルにまたは類似の構造物に埋め込まれる。
【０３１２】
任意選択で、ばね１３１１、磁石１３１４およびコイル１３１２は一緒になって、特徴的な共振周波数を有する「ばね上質量」の役割を果たす。
【０３１３】
以下にさらに詳細に説明されるように、いくつかの実施形態では、振動を励起する信号に強く効果的に応答できるように、振動変換器１３１０により受信された信号により誘発された振動周波数の範囲の機械的共振周波数を有するばね１３１１が設計される。
【０３１４】
したがって、変換器１３１０を装着する利用者が体験する感覚を強化することができ、変換器１３１０は、よりエネルギー効率の高い方法で動作することができる。
【０３１５】
すなわち、振動を励起する信号に効果的に結合できるようするために、誘発された振動周波数の範囲内に入るように設定された機械的共振周波数を有する変換器１３１０が設計される。したがって、以下にさらに詳細に説明されるように、より少ない励起エネルギーでより強い振動が生成される。
【０３１６】
そのような実施形態では、入力音響信号は、振動変換器１３１０を駆動するために複雑な操作を必要とせず、振動は変換器のばね１３１１の機械的共振によりさらに増幅されるので、任意選択でいくらかの増幅だけを必要とする。そのような変換器１３１０で生成された振動はまた、原音響に対して良好な忠実度を提供することができる。
【０３１７】
さらに、そのような実施形態では、振動変換器の周波数応答も、任意選択であるがかならずしも増幅されない通常の音響信号により誘発された振動を可能にすることがある。振動を励起する信号（すなわち通常の音響信号）の調和およびばね１３１１の機械的共振周波数により、十分で効果的な振動性の応答を生成することができる。
【０３１８】
動作については、任意選択で、コイル１３１２は、任意選択で増幅された変化する電流を受け取り、１つまたは複数の磁石１３１４により生成された磁場に対して移動する。
【０３１９】
当技術分野で公知のように、磁石１３１４は、通常の永久磁石、ネオジム磁石、電磁石などでもよい。
【０３２０】
次に、図１４を参照すると、図１４は、本発明の例示的一実施形態による第６の振動変換器を概略的に示す簡易構造図である。
【０３２１】
図１４の振動変換器１４２０は、ばね１４２２などの弾性要素により支持フレーム１４２３に接続されたコイル１４２１を、支持フレーム１４２３に同じく接続された磁石１４２４の上方に含む。
【０３２２】
本例のコイル１４２１に交流電流を加えると、本例のコイル１４２１は、少し小さめの上部空間によって図１３の振動変換器１３１０のコイル１３１２の動きに類似する方法で動き、本変換器１４２０は、靴の中および／または靴の下で使用するのにより適したものになる。
【０３２３】
次に、図１５を参照すると、図１５は、本発明の例示的一実施形態による第７の振動変換器を概略的に示す簡易構造図である。
【０３２４】
図１５の振動変換器１５３０は、支持フレーム１５３２に接続されたコイル１５３１を含む。
【０３２５】
例示的変換器１５３０はまた、コイル１４３１の上方に配置された磁石１５３３を含む。磁石１５３３は、弾性要素、たとえばばね１５３４に取り付けられる。
【０３２６】
交流電流をコイル１５３１に加えると、変化する磁場がコイル１５３１内に生成される。変化する電場が、コイル１５３１の上で磁石１５３３を前後に動かす。したがって、少し小さめの上部空間によって図１３の振動変換器１３１０の振動に類似する振動が生成され、機構および電子部品を任意選択で靴底に埋め込むことができるので、振動変換器１５３１は、靴の中および／または靴の下で使用するのにより適したものになる。
【０３２７】
図１３、図１４および図１５に示される例示的振動変換器は、従来のスピーカ、ボイスコイルおよびソレノイドと異なって作動する新規な変換器である。スピーカ、ボイスコイルおよびソレノイドは、コイルを使用して、これらの電気コイルの中心により規定される軸に沿って直線的に質量を動かすが、図１３、図１４および図１５の新規な振動変換器は、むしろ磁石またはコイルを「小刻みに揺り動かす」。
【０３２８】
振動変換器１３１０、１４２０および１５３０は、これらのコイルが任意選択でこれらの磁石と同一平面上にあってもよい平坦な設計を有してもよい。
【０３２９】
振動変換器１３１０、１４２０および１５３０は、任意選択で、これらの磁石およびこれらのコイルがフレームに沿って縦方向に配置されない短い設計を有してもよい。
【０３３０】
次に、図１６を参照すると、図１６は、本発明の例示的一実施形態による第８の振動変換器を概略的に示す簡易構造図である。
【０３３１】
例示的振動変換器１６４０は、ゼロ交差構成（ｚｅｒｏ−ｃｒｏｓｓ  ｃｏｎｆｉｇｕｒａｔｉｏｎ）で配置された１つのコイル１６４１および２つの磁石１６４２を含む。ゼロ交差構成では、２つの磁石１６４２は、第１の磁石のＮ極が第２の磁石のＳ極と向き合うアレイの形で配置される。以下にさらに詳細に説明されるように、コイル１６４１の軸は、２つの磁石１６４２間のほぼ中間部に、すなわち磁石１６４２の磁場強度が最大になる地点に対向して向けられる。したがって、コイル１６４１および磁石１６４２の間の磁気力が最大になり、振動変換器１６４０の効率を高めることができる。
【０３３２】
本発明の例示的一実施形態による代替のゼロ交差構成では、単一の磁石が１つまたは複数のコイルと一緒に使用される。代替のゼロ交差構成では、１つまたは複数のコイルの軸は、磁極間のほぼ中間部に、すなわち磁石の磁場強度が最大になる中点に対向して向けられる。したがって、１つまたは複数のコイルおよび磁石の間の磁気誘導が最適化され、振動変換器の効率を高めることができる。
【０３３３】
上述のように、コイル１６４１、磁石１６４２または両方は、弾性部材（図示せず）により互いに（または両方とも）支持フレーム（図示せず）に接続されてもよい。
【０３３４】
コイル１６４１に加えられた信号により誘発された動きが、コイル１６４１または磁石１６４２を加速させることがある。
【０３３５】
以下にさらに詳細に説明されるように、加速により、たとえば、振動変換器１６４０が配置された身体部分に最適な方向に振動を与えるために、１つの方向または他の方向に任意選択で制約することができる動きが引き起こされる。
【０３３６】
たとえば、磁石１６４２は、図１６の矢印１６４４により示されるように、コイル１６４１の上を水平方向だけに、または特定の接線方向の移動だけで動くように、任意選択でフレームによりまたはコイル１６４１および磁石１６４２の間の接続により、任意選択で制約することができる。
【０３３７】
次に、図１７を参照すると、図１７は、本発明の例示的一実施形態による第９の振動変換器を概略的に示す簡易構造図である。
【０３３８】
例示的振動変換器１７５０が、ゼロ交差構成で配置された１つのコイル１７５１および２対の磁石１７５２、１７５３を含む。ゼロ交差構成では、磁石の各対１７５２、１７５３は、第１の磁石のＮ極が第２の磁石のＳ極と向き合うように配置される。さらに、２対の磁石１７５２、１７５３は、これらのＮ極およびＳ極に同一方向を向かせるように配置される。
【０３３９】
図１６と同様に、磁石の両方の対１７５２、１７５３は（たとえばフレームを使用して）制約され、水平方向にまたは特定の接線方向の移動で動く。しかしながら、一方の対１７５２が一方の方向（たとえば左から右）に動いたとき、第２の対１７５３は反対方向（たとえは右から左）に動く。
【０３４０】
次に、図１８を参照すると、図１８は、本発明の例示的一実施形態による第１０の振動変換器を概略的に示す簡易構成図である。
【０３４１】
例示的振動変換器１８６０は、１つのコイル１８６１および２対の磁石１８６２、１８６３を含み、第１の磁石のＮ極が第２の磁石のＳ極と向き合うように各対の磁石１８６２、１８６３が配置されるゼロ交差構成で配置される。２対の磁石１８６２、１８６３は、これらのＮ極およびＳ極に反対方向を向かせるように配置される。
【０３４２】
図１６と同様に、たとえばフレームを使用して制約される、磁石の両方の対１８６２、１８６３は、水平方向にまたは特定の接線方向の移動で動く。しかしながら、一方の対１８６２が一方の方向（たとえば左から右）に動いたとき、第２の対１８６３は同一方向（同様に左から右）に動く。
【０３４３】
次に、図１９を参照すると、図１９は、本発明の例示的一実施形態による第１１の振動変換器を概略的に示す簡易構造図である。
【０３４４】
例示的振動変換器１９７０が、ゼロ交差構成で配置された２つのコイル１９７５および３つの磁石１９７６を含む。図１９は、磁石１９７６の数が同じである必要がないことを実証するのに役立つ。また、コイル１９７５の数もまた同じである必要がないことが留意される。
【０３４５】
任意選択で、磁石１９７６は、各磁石およびコイルの回転方向が、その他の磁石またはコイルの回転方向と異なってもよいように、変換器１９７０の内側に分散させられる。したがって、以下にさらに詳細に説明されるように、変換器１９７０はさまざまな方向に回転することができる。
【０３４６】
次に、図２０を参照すると、図２０は、本発明の例示的一実施形態による第１２の振動変換器を概略的に示す簡易構造図である。
【０３４７】
例示的振動変換器２０８０が、部分的に弾性のあるフレーム２０８３の対辺に固定された２つのコイル２０８１、２０８２を含む。フレーム２０８３は、コイル２０８１、２０８２の動きを水平方向の動きまたは特定の接線方向の動きに制限する。
【０３４８】
コイル２０８１、２０８２に交流電流を供給すると、２つのコイルは反対方向に、前後に動く。たとえば、一方のコイル２０８１が左から右に動く場合、第２のコイル２０８２は右から左に動く。
【０３４９】
次に、図２１を参照すると、図２１は、本発明の例示的一実施形態による第１３の振動変換器を概略的に示す簡易構造図である。
【０３５０】
図２１に示される例示的振動変換器は、フレーム２１１５に取り付けられたコイル２１０５および１つまたは複数の磁石２１１０を含む。
【０３５１】
フレーム２１１５、またはフレーム２１１５の少なくとも一部は弾性がある。すなわち、フレーム２１１５自体は弾性要素である。
【０３５２】
図２１の例示的変換器では、磁石２１１０もコイル２１０５もフレーム２１１５（すなわち弾性要素）の内面に取り付けられる。
【０３５３】
以下にさらに詳細に説明されるように、磁石２１１０は、ゼロ交差構成で、たとえば、第１の磁石のＮ極が第２の磁石のＳ極と向き合う２つの磁石２１１０のアレイの形で配置される。
【０３５４】
任意選択で、磁石２１１０の各々は、フレーム２１１５の外面に配置された対向する磁石２１１１に対してさらに対にされる。
【０３５５】
したがって、対にされた磁石２１１０、２１１１は互いに固着し、その間のフレーム２１１５に取り付けられたままとなる。したがって、図２１の例示的変換器は、ねじを使用して磁石２１１０をフレーム２１１５に接着させるまたは締結することなく製造することができ、したがって、変換器の製造工程がより速く、より安価になる。
【０３５６】
低周波で交番する電流（すなわち信号）をコイル２１０５に供給すると、コイル２１０５は、コイル２１０５のコアに対して垂直で、かつコイル２１０５の軸に平行な反対の分極方向間で交番する磁場を生成する。コイル２１０５の軸は、磁石２１１０の間のほぼ中間部を向く。
【０３５７】
すなわち、コイル２１０５の交番する磁場は、磁石２１１０のアレイにほぼ垂直方向に、かつ磁石２１１０の間の中間部にほぼ対向して向く。以下にゼロ交差構成について説明するように、中間点は、磁石２１１０の磁場強度が最大になる地点である。したがって、コイル２１０５および磁石２１１０の間の力が最適化される。
【０３５８】
任意選択で、フレーム２１１５は、磁石２１１０の特定のサイズ、コイル２１０５の特定の直径、磁石２１１０の磁場の特定の強度、コイル２１０５により生成された磁場の平均強度、コイル２１０５により生成された磁場の最大強度などまたはこれらの任意の組合せに対して最適化された距離でコイル２１０５および磁石２１１０を整列させるように設計される。
【０３５９】
たとえば、コイル２１０５および磁石２１１０は、中間点、および磁石２１１０の磁場が最大になるコイル２１０５のコアの間の地点で、コイル２１０５の交番する磁場が最大になるように整列してもよい。
【０３６０】
任意選択で、中間点、および磁石２１１０の磁場が最大になるコイル２１０５のコアの間の地点で、コイル２１０５の交番する磁場が最大になるように、最適な直径を有するコイル２１０５が設計される。
【０３６１】
以下にさらに詳細に説明されるように、任意選択で、メディア信号から得られ、振動変換器により受信された低周波信号に特徴的な低周波範囲の電流で最大になる磁場誘導を有するコイル２１０５が設計される。
【０３６２】
フレーム２１１５は、コイル２１０５の上での磁石２１１０の水平移動を制止するように設計される。したがって、磁石２１１０の動きは、利用者の特定の身体部分に最適な方向に振動を加えるために、特定の直線的な動きまたは接線方向の動きに制約することができる。
【０３６３】
以下にさらに詳細に説明されるように、任意選択で、図２１の変換器に送信された信号に対して強く効果的に応答（振動）できるように、変換器５００に送信された信号により誘発された振動周波数の範囲内の機械的共振周波数を有するフレーム２１１５が設計される。
【０３６４】
すなわち、フレーム２１１５は、図２１の変換器に送信された信号により誘発された振動周波数の範囲内の機械的共振周波数を有する弦として機能する。
【０３６５】
振動を励起する信号（すなわち単純な音響信号）およびフレーム２１１５自体の機械的共振周波数の調和により（当技術分野で公知のように、波の重ね合わせによる）、増幅された振動応答が生成される。
【０３６６】
したがって、振動はフレーム２１１５の機械的共振により増幅されるので、入力音響信号が、図２１の振動変換器を駆動するために複雑な操作を必要としない。さらに、変換器により生成された振動はまた、原音響に対して良好な忠実度を提供する。
【０３６７】
すなわち、振動を励起する信号への効果的な機械的結合を可能にするために、誘起された振動の周波数の範囲内に入るように設定された機械的共振周波数を有する変換器のフレーム２１１５が設計される。したがって、より少ない励起エネルギーでより強い振動が生成される。
【０３６８】
交番する磁流がコイル２１０５に加えられたとき、交番する磁流が、コイル２１０５に対して磁石２１１０を反発するまたは引きつけるように作動する磁場をコイル２１０５のコア内に生成する。
【０３６９】
しかしながら、フレーム２１１５は、コイル２１０５から一定の垂直距離で磁石２１１０を保持するように設計される。フレーム２１１５の垂直抵抗係数は、磁石をコイル２１０５から離して一定の垂直距離で保持するのに十分大きい。すなわち、フレーム２１１５は、コイル２１０５内に誘発された磁場の下でコイル２１０５に向かう（またはから離れる）磁石２１１０のいかなる大きな動きも防止することができる。
【０３７０】
したがって、フレーム２１１５は、磁石２１１０の動きをほぼ水平線に制限する。
【０３７１】
フレーム２１１５の設計により、コイル２１０５上の磁石２１１０の水平移動が可能になる。したがって、コイル２１０５内に誘発された磁場は、コイル２１０５の上で磁石２１１０を水平に動かす。
【０３７２】
しかしながら、コイル２１０５の上の中心位置に磁石２１１０を戻すように作動する弾性を有するフレーム２１１５が設計され、中心位置では、磁石２１１０間の中間部がコイル２１０５のコアとほぼ対向する。
【０３７３】
磁石２１１０を一方の水平方向に動かす、コイル２１０５内に誘発される磁場が変化したとき、フレーム２１１５は、磁石２１１０を中心位置まで押し戻す傾向がある反対方向の機械的力を生成する。
【０３７４】
当技術分野で公知のように、フレーム２１１５を特徴付けるばねに似た速度係数に基づき、フックの法則（Ｈｏｏｋ’ｓ  ｌａｗ）により規定されるように、磁気力が、フレーム２１１５により生成された反対方向の機械的力に釣り合う、中心位置から離れた一定の距離まで磁石２１１０の水平移動が制限される。
【０３７５】
同様に、コイル２１０５の磁場分極が変化したとき、フックの法則（Ｈｏｏｋ’ｓ  ｌａｗ）により規定されるように、磁気力が、フレーム２１１５により生成された反対方向の機械的力に釣り合う、中心位置から離れた一定の距離に磁石２１１０が到達するまで、磁石２１１０は反対方向の水平線内で動かされる。
【０３７６】
したがって、磁石２１１０の振動は、水平であることだけでなく（変換器のサイズが比較的小さいにもかかわらず）低周波により特徴付けられる。
【０３７７】
次に、図２２を参照すると、図２２は、本発明の例示的一実施形態による第１４の振動変換器を概略的に示す簡易構造図である。
【０３７８】
図２２を使用して示される例示的変換器が、図２１のコイル２１０５、磁石２１１０およびフレーム２１１５を含む。
【０３７９】
図２２に示される変換器では、図２１の振動変換器と同様に、磁石２１１０もコイル２１０５も、フレーム２１１５（すなわち弾性要素）の内面に取り付けられる。
【０３８０】
しかしながら、図２２の例示的変換器では、磁石２１１０は、図２１の対向する磁石２１１１によるのではなく、接着剤を使用してまたは留め具（たとえばねじ）を使用してフレーム２１１５に取り付けられる。
【０３８１】
次に、図２３を参照すると、本発明の例示的一実施形態による第１５の振動変換器を概略的に示す簡易構造図である。
【０３８２】
図２３の例示的変換器は、図２１のコイル２１０５、磁石２１１０およびフレーム２１１５を含む。しかしながら、図２３の例示的変換器では、磁石２１１０は、図２１の対向する磁石２１１１によるのではなく、接着剤を使用してまたは留め具（たとえばねじ）を使用してフレーム２１１５に取り付けられる。
【０３８３】
図２３の例示的変換器は、フレーム２１１５に取り付けられた磁石２１１０に磁気によって取り付けられた第２の１対の磁石２３１２をさらに含む。
【０３８４】
以下にさらに詳細に説明されるように、２対２１１０および２３１２は一緒になって、少なくとも一部は弾性フレーム２１１５に取り付けられたより強力な磁石のアレイを形成し、この磁石のアレイは、コイル２１０５に交流電流を供給すると、コイル２１０５の上で前後に水平方向に動く。
【０３８５】
本発明のいくつかの例示的実施形態によれば、２つ以上の磁石および／またはコイルが、振動変換器が配置された身体位置に最適な１つまたは複数の方向に振動を発生するように設計されたアレイの形で単一の振動変換器の内部に配置される。
【０３８６】
以下にさらに詳細に説明され、図２４および図２５を使用して示されるように、本発明のいくつかの例示的実施形態では、２つ以上の磁石および／または２つ以上のコイルが、２つまたは３つの空間次元で、２つ以上の方向に振動を発生することができる方法で、単一の振動変換器内で一緒に使用される。
【０３８７】
次に、図２４を参照すると、図２４は、本発明の例示的一実施形態による第１の多方向振動変換器を概略的に示す簡易構造図である。
【０３８８】
例示的多方向振動変換器２４９１が４つのコイル２４９２を含む。
【０３８９】
多方向振動変換器２４９１は、正方形に似たフレーム２４９４に固定された４対の磁石２４９３をさらに含む。
【０３９０】
以下にさらに詳細に説明されるように、磁石対２４９３の各々は、フレーム２４９４の個々の側面に固定され、第１の磁石のＮ極が第２の磁石のＳ極と向き合うゼロ交差構成で配置される。
【０３９１】
フレーム２４９４は、フレーム２４９４の中心に配置された弾性要素２４９５に、たとえばスポンジまたは１組のばねに接続される。
【０３９２】
あるいは、フレーム２４９４の角またはフレーム２４９４の側面が、フレーム２４９４の垂直移動および水平移動を可能にする１組の弾性要素（図示せず）、たとえばフレーム２４９４の周囲に配置されたばねに接続されてもよい。
【０３９３】
コイル２４９２の各々は、フレーム２４９４の側面の対向する１つに配置される。
【０３９４】
以下にさらに詳細に説明されるように、より詳細には、コイル２４９２は、側面に固定された１対２４９３を形成する２つの磁石間のほぼ中間部の地点に対向して配置され、したがって、磁場がコイル２４９２内に形成されたとき、磁石対２４９３に加えられる磁気力を最大にする。
【０３９５】
したがって、交番する磁場をコイル２４９２のいずれかに供給すると、コイル２４９２に対向する側面に固定された１対の磁石２４９３が、コイル２４９２に対向する側面に対して並行に（またはほぼ並行に）動く。
【０３９６】
より詳細には、フレーム２４９４の左側またはフレーム２４９４の右側に対向して配置されたコイル２４９２に電流が供給されたとき、その側面上の磁石２４９３が垂直に（すなわち上下に）動く。
【０３９７】
同様に、フレーム２４９４の上側またはフレーム２４９４の下側に対向して配置されたコイル２４９２に電流が供給されたとき、その側面上の磁石２４９３が水平に（すなわち左右に）動く。
【０３９８】
すなわち、図２４の振動変換器２４９１は、振動を水平方向に、垂直方向にまたは両方向に誘発するために使用することができる。
【０３９９】
弾性要素上に装着された（またはフレーム２４９４の側面で１組の弾性要素に接続された）立方体のフレームとフレーム２４９４を交換し、１対の磁石を立方体のフレームの各側面に配置し、コイルを対の磁石に対向して配置することにより、３つの空間方向に振動を誘発することができるようになる。たとえば、振動は、左右の方向でも、上下の方向でも、前方および後方でも、これらの任意の組合せでもよい。
【０４００】
次に、図２５を参照すると、図２５は、本発明の例示的一実施形態による第２の多方向振動変換器を概略的に示す簡易構造図である。
【０４０１】
例示的多方向振動変換器２５９６が４つのコイル２５９７を含む。
【０４０２】
多方向振動変換器２５９６は、磁石２５９８の磁場により一緒に保持される４つの磁石２５９８をさらに含む。磁石２５９８は、円の中心に配置された弾性要素２５９９（たとえばスポンジまたは１組のばね）の周囲に円を形成する。
【０４０３】
あるいは、磁石２５９８は円を形成するが、むしろ、磁石２５９８の外側で（すなわち円の周囲で）、磁石２５９８の垂直移動および水平移動を可能にする１組の弾性要素（図示せず）、たとえばばねに接続される。
【０４０４】
以下にさらに詳細に説明されるように、図２５に示すように、コイル２５９７の各々が、ゼロ交差構成で配置された磁石２５９８のうち２つの隣接する磁石間の中間部の地点に対向して配置される。
【０４０５】
交番する磁場をコイル２５９７のいずれかに提供すると、コイル２５９７に対向する磁石２５９８の対が、コイル２５９７のコアに並行に（またはほぼ並行に）動く。
【０４０６】
より詳細には、円の左側または円の右側に対向して配置されたコイル２５９７に電流が提供されると、側面の磁石２５９８は垂直に（すなわち上下に）動く。
【０４０７】
同様に、フレームの円の上側または円の下側に対向して配置されたコイル２５９７に電流が与えられると、側面の磁石２５９８は水平に（すなわち左右に）動く。
【０４０８】
すなわち、図２５の振動変換器２５９６は、水平方向に、垂直方向にまたは両方向に振動を誘発するために使用することができる。
【０４０９】
弾性材料の周囲に球体を一緒になって形成する（または球体の表面で１組の弾性要素に接続された）磁石と磁石２５９８を交換することにより、３つの空間方向に振動を誘発することができるようになる。たとえば、振動は、左右の方向でも、上下の方向でも、前方および後方でも、これらの任意の組合せでもよい。
【０４１０】
本発明のいくつかの実施形態では、多くの小型振動変換器を使用することが望ましいことがあることが留意される。そのように使用する一例が靴底の中でもよく、この場合、靴の大部分にわたり振動を広げるために、靴の内側に合うような小型であるが、十分多くの数で、いくつかの小型振動変換器を使用することができる。
【０４１１】
本発明のいくつかの実施形態では、比較的強力な振動変換器を使用することが望ましいことがあることが留意される。比較的強力な振動変換器は、強力な磁石、および／または比較的大きな磁石、および／または比較的大きな１つまたは複数のコイルを使用することにより達成される。そのように使用する一例が胸に取り付けられてもよく、この場合、振動が任意選択で胸の骨に影響を及ぼすことが意図される。
本発明のいくつかの例示的用途
【０４１２】
本発明は、そのいくつかの実施形態では、大音響の低音スピーカおよびサブ・ウーファ・スピーカの代わりに、またはそのようなスピーカに加えて、映画館（ｍｏｖｉｅ  ｔｈｅａｔｅｒ、ｃｉｎｅｍａ）であれ、ライブショーであれ、パブリックショーの会場での音響体験を強化することができる。そのような用途は、そのような音響がパブリックショーの近傍で作り出す騒乱を低減することができる。
【０４１３】
音響技師、すなわち舞台の演奏家が、ヘッドホンを装着していない人には聞こえない信号を受信するために「ヘッドホンクリック（ｈｅａｄｐｈｏｎｅ  ｃｌｉｃｋ）」と称されるものを使用する。本発明は、そのいくつかの実施形態では、「ヘッドホンクリック」を補足するまたは置き換える身体振動を提供することができる。
【０４１４】
本発明は、そのいくつかの実施形態では、映画、動画、ゲーム、シミュレータ、オーディオビジュアルおよび非ビジュアルのシミュレーション環境およびシステム、ならびに仮想現実システムと共に、人により使用されるパーソナルデバイスでの音響体験を完全なものにすることができる。限定しない一例として、本発明の実施形態は、ゲームが射撃を含むとき、ほぼ現実の反動感覚を生成するために使用することができる。
【０４１５】
本発明のいくつかの実施形態では、直線的な移動感覚が利用者に与えられる。この感覚の源泉を理解するためには、信号が前後の動きを含むことが留意される。動きの感覚を生成する一実施形態では、前後の動きの一方の方向で粗暴な動きが生成され、ほぼゆるやかな戻る動きが反対方向に生成される。利用者が、ゆるやかな戻りよりも、粗暴な動きを感じ、この感覚は、利用者がまるで一方向に動くようなものである。以下にさらに詳細に説明されるように、そのような感覚を生成するのに適した信号の限定しない一例が、急激な上昇およびゆるやかな降下、またはゆるやかな上昇および急激な降下を有する非対称鋸歯状に似た信号である。
【０４１６】
本発明のいくつかの実施形態に従って構築された振動変換器は、任意選択で、指示および／または触覚フィードバックの目的のために、たとえば耳の不自由な利用者が警告音および／または車両後退警告を感じることができるようにするため、およびたとえば振動感覚の振幅または周波数に基づき設備を制御するための触覚フィードバックのために使用することができる。
【０４１７】
本発明は、そのいくつかの実施形態では、任意選択で、聴覚環境をシミュレートすることができる。シミュレーションは、現実的な環境に関するものでも、実生活に特有ではない人工的な環境に関するものでもよい。シミュレーションは、音楽環境を変えて、野外でコンサートホール効果を可能にする、およびその逆でもよい。
【０４１８】
本発明は、そのいくつかの実施形態では、任意選択で、人間の反応に関する研究目的で、医療目的などで、ある種の振動により特徴付けられる聴覚または環境をシミュレートすることができる。限定しない一例として、具体的には、ブラウン、イエローおよび／またはグリーンの周波数が増幅され、減衰されないことがある。
【０４１９】
本発明は、そのいくつかの実施形態では、任意選択で、聴覚環境、たとえば揺りかご、車、飛行機などをシミュレートすることができる。
【０４２０】
本発明は、そのいくつかの実施形態では、任意選択で、環境音響を拾い上げて、環境音響により生成された振動感覚を相殺することにより、聴覚環境を静めることができる。
【０４２１】
本発明は、そのいくつかの実施形態では、任意選択で、真空もしくはほぼ真空の環境、または水中、または音が生成しにくいもしくはうまく伝わらない環境で、振動感覚を生成することができる。音源は、任意選択で、有線または無線で提供され、生成された振動は、音および／または振動が伝導するために空気に依存することなく、利用者の身体、および／または衣服、および／または取り付けられたアクセサリに直接誘導される。
【０４２２】
本発明のいくつかの実施形態に従って構築された振動変換器は、任意選択で、心理音響学的療法、音波および／または低周波振動を使用する、組織および骨の治療、理学療法、めまいおよび／または平衡の治療、ならびに消化不良の治療などの医療目的のために使用することができる。
低周波用の任意選択の符号化方式
【０４２３】
本発明の例示的一実施形態によれば、異なる身体の場所で身体に加えられた振動を符号化する低周波信号が、音楽業界のベンダにより作成されることがある業界標準に従ってフォーマットされる。
【０４２４】
以下にさらに詳細に説明されるように、本発明のいくつかの実施形態では、標準的なＬＦＥ（Ｌｏｗ  Ｆｒｅｑｕｅｎｃｙ  Ｅｆｆｅｃｔ）チャネルがシステムの音源用入力として使用される。
【０４２５】
本発明のいくつかの実施形態では、上記に説明されるように、新しい低周波信号が特定の範囲の周波数に埋め込まれる。任意選択で、新しい低周波信号はほぼ０Ｈｚ〜３０Ｈｚにわたる。
【０４２６】
新しい信号は、本符号化では異なる位置に配置されてもよい。
【０４２７】
いくつかの実施形態では、ＬＦＥがサブウーファに供給されないという理解の下で、新しい信号は任意選択でＬＦＥ信号を置換する。任意選択で、音響システムは、ＬＦＥチャネルが新しい信号を運んでいることを識別するために改造されてもよい。
【０４２８】
本発明のいくつかの実施形態では、低周波信号はオーディオスペクトルのより高周波部分のスライスに埋め込まれる。任意選択で、低周波信号は、オーディオスペクトルの高周波部分に、たとえばほぼ１９ｋＨｚ以上に、典型的には人間の聴覚の能力よりも高い周波数部分に埋め込まれてもよい。低周波は、高周波の中に埋め込まれたとき、比較的低いデータ速度を提供するので、１つまたは複数の低周波チャネルが、任意選択で、より高い周波数の中に埋め込まれてもよい。任意選択で、低周波信号は減衰させられる。任意選択で、低周波信号は、高周波スライス内に存在する高周波信号と位相がずれて埋め込まれる。
【０４２９】
本発明の有効期間中に、多くの関連するデバイスおよびシステムが開発され、本明細書の用語の範囲、特に用語「デジタル信号処理（ＤＳＰ）」、「チップ」、「電気回路」、「増幅器」、「フィルタ」、「磁石」、「ＬＦＥ（Ｌｏｗ  Ｆｒｅｑｕｅｎｃｙ  Ｅｆｆｅｃｔ）」、「チャネル」、「送信機」および「受信機」の範囲は、すべてのそのような新しい技術を先験的に含むことが意図されることが想定される。
【０４３０】
明確にするために別個の実施形態に関連して説明された本発明の特定の特徴はまた、単一の実施形態の中に組み合わせて提供されてもよいことが理解される。逆に、簡潔にするために単一の実施形態に関連して説明された本発明のさまざまな特徴はまた、別個にまたは任意の適切な部分的組合せの形で提供されてもよい。
【０４３１】
本発明は、その特定の実施形態に関連して説明されたが、多くの代替形態、修正形態および変形形態が当業者に明らかであることは明白である。したがって、添付の特許請求の範囲の精神および広い範囲に入るすべてのそのような代替形態、修正形態および変形形態を包含することが意図される。本明細書で言及されるすべての刊行物、特許および特許出願は、個々の刊行物、特許または特許出願がそれぞれ、参照により本明細書に組み入れられると具体的に個々に示された場合と同一程度に、その全体が参照により本明細書の中に組み入れられる。さらに、本出願における任意の参照の引用または識別は、そのような参照が本発明に従来技術として利用可能であることを認めることであると解釈されるものではない。
【図３】
0005935170.tif 000002
【図４】
0005935170.tif 000003
【図１１Ａ】
0005935170.tif 000004
【図１１Ｂ】
0005935170.tif 000005
【図１１Ｃ】
0005935170.tif 000006
【図１２Ａ】
0005935170.tif 000007
【図１２Ｂ】
0005935170.tif 000008
【図１２Ｃ】
0005935170.tif 000009
【図１３】
0005935170.tif 000010
【図１４】
0005935170.tif 000011
【図１５】
0005935170.tif 000012
【図１６】
0005935170.tif 000013
【図１７】
0005935170.tif 000014
【図１８】
0005935170.tif 000015
【図１９】
0005935170.tif 000016
【図２０】
0005935170.tif 000017
【図２１】
0005935170.tif 000018
【図２２】
0005935170.tif 000019
【図２３】
0005935170.tif 000020
【図２４】
0005935170.tif 000021
【図２５】
0005935170.tif 000022
【図１】
0005935170.tif 000023
【図２】
0005935170.tif 000024
【図５】
0005935170.tif 000025
【図６】
0005935170.tif 000026
【図７】
0005935170.tif 000027
【図８】
0005935170.tif 000028
【図９】
0005935170.tif 000029
【図１０】
0005935170.tif 000030